(57)【要約】【課題】  要約の作成が終了したことをユーザに通知する。【解決手段】  ステップＳ１で要約作成終了の通知に必要な設定を受ける。ステップＳ２で録画予約の指令を受けたと判断された場合、ステップＳ３で、予約された放送番組が録画される。ステップＳ４で、要約作成の指令（要約の作成方法や要約映像時間の指令を含む）を受けたか否かが判断される。ステップＳ３とステップＳ４の処理は、記載された順番とは逆の順番で実行されてもよい。ステップＳ４で、要約作成の指令を受けたと判断された場合、ステップＳ５で、対応する放送番組の要約データが、設定された要約作成方法および要約映像時間を基に作成されて保存される。ステップＳ６で、指令されたすべての要約の作成が終了したと判断された場合、ステップＳ７で、要約通知処理が実行されて、処理が終了される。本発明は、録画再生装置、テレビジョン受像機に適用できる。【選択図】図４
2005328416.tif 000002
【特許請求の範囲】
【請求項１】
要約を作成する情報処理装置において、
録画データを記憶する録画データ記憶手段と、
前記録画データ記憶手段により記憶されている前記録画データから、前記要約を作成するために用いられる前記録画データを取得する録画データ取得手段と、
前記録画データ取得手段により取得された前記録画データを基に、前記要約を生成する要約生成手段と、
前記要約生成手段により前記要約が生成されたことをユーザに通知するための処理を制御する通知処理制御手段と
を備えることを特徴とする情報処理装置。
【請求項２】
所定の情報を表示する表示手段を更に備え、
前記通知処理制御手段は、前記表示手段による、前記要約が生成されたことを前記ユーザに通知するための所定のメッセージの表示を制御する
ことを特徴とする請求項１に記載の情報処理装置。
【請求項３】
前記通知処理制御手段の制御に基づいて、ＬＥＤの点滅を制御する点滅制御手段を更に備え、
前記通知処理制御手段は、前記点滅制御手段による前記ＬＥＤの点滅を制御することにより、前記ユーザに前記要約が生成されたことを通知する
ことを特徴とする請求項１に記載の情報処理装置。
【請求項４】
音声を出力する音声出力手段を更に備え、
前記通知処理制御手段は、前記音声出力手段による、前記要約が生成されたことを前記ユーザに通知するための所定の音声出力を制御する
ことを特徴とする請求項１に記載の情報処理装置。
【請求項５】
前記通知処理制御手段の制御に基づいて、前記ユーザに前記要約が生成されたことを通知するための画像データを生成する画像データ生成手段と、
前記画像データ生成手段により生成された前記画像データの他の装置への出力を制御する出力制御手段と
を更に備え、
前記通知処理制御手段は、前記画像データ生成手段による前記画像データの生成を制御する
ことを特徴とする請求項１に記載の情報処理装置。
【請求項６】
前記通知処理制御手段の制御に基づいて、前記ユーザに前記要約が生成されたことを通知するための画像データを生成する画像データ生成手段と、
前記画像データ生成手段により生成された前記画像データの表示を制御する表示制御手段と
を更に備え、
前記通知処理制御手段は、前記画像データ生成手段による前記画像データの生成を制御する
ことを特徴とする請求項１に記載の情報処理装置。
【請求項７】
前記通知処理制御手段の制御に基づいて、前記ユーザに前記要約が生成されたことを通知するためのメッセージを含む電子メールを生成する電子メール生成手段と、
前記電子メール生成手段により生成された前記電子メールの送信を制御する送信制御手段と
を更に備えることを特徴とする請求項１に記載の情報処理装置。
【請求項８】
前記通知処理制御手段の制御に基づいて、前記要約が生成されたことの通知処理を他の装置に実行させるための第１の制御信号を生成する制御信号生成手段と、
前記制御信号生成手段により生成された前記第１の制御信号の、前記他の装置への送信を制御する送信制御手段と
を更に備えることを特徴とする請求項１に記載の情報処理装置。
【請求項９】
前記他の装置から送信された第２の制御信号を受信する受信手段と、
前記受信手段により受信された前記第２の制御信号を認識する認識手段と
を更に備えることを特徴とする請求項８に記載の情報処理装置。
【請求項１０】
要約を作成する情報処理装置の情報処理方法において、
所定の記憶部への録画データの記憶を制御する録画データ記憶制御ステップと、
前記録画データ記憶制御ステップの処理により記憶が制御されている前記録画データを基に、前記要約を生成する要約生成ステップと、
前記要約生成ステップの処理により前記要約が生成されたことをユーザに通知するための処理を制御する通知制御ステップと
を含むことを特徴とする情報処理方法。
【請求項１１】
要約を作成し、前記要約の作成が終了したことをユーザに通知する処理をコンピュータに実行させるためのプログラムにおいて、
所定の記憶部への録画データの記憶を制御する録画データ記憶制御ステップと、
前記録画データ記憶制御ステップの処理により記憶が制御されている前記録画データを基に、前記要約を生成する要約生成ステップと、
前記要約生成ステップの処理により前記要約が生成されたことを前記ユーザに通知するための処理を制御する通知制御ステップと
を含むことを特徴とする処理をコンピュータに実行させるためのプログラム。
【発明の詳細な説明】
【技術分野】
【０００１】
本発明は、情報処理装置および情報処理方法、並びに、プログラムに関し、特に、録画された放送番組などの要約が作成される場合に用いて好適な、情報処理装置および情報処理方法、並びに、プログラムに関する。
【背景技術】
【０００２】
従来、例えば、コンテンツデータや録画された放送番組などのあらすじの作成やハイライトシーン集の作成を行うために、映像データを要約する方法として、さまざまな処理が提案されている。
【０００３】
映像データを要約するための技術は、既にいくつか存在しており、例えば、ディジタル動画シーケンス毎にディジタル動画信号を入力し、動画シーケンスのキーフレームに基づいて階層的要約を生成することができる技術（例えば、特許文献１）や、メディアコンテンツにおいて、あらすじ、ハイライトシーン集、あるいは、視聴者が希望するシーン集を、視聴、再生、配送、蓄積する方法を実現するための技術（例えば、特許文献２）などがある。
【０００４】
【特許文献１】特表２００１−５２７３０４公報
【０００５】
【特許文献２】特開２００１−３３３３５３公報
【発明の開示】
【発明が解決しようとする課題】
【０００６】
しかしながら、従来、要約の作成処理が終わったことをユーザへ通知するための提示方法に関しては議論されていない。
【０００７】
例えば、録画再生装置を利用するユーザが、録画再生装置において、映像データの要約を作成する目的、すなわち、作成された要約の主な用途は、ユーザが、例えば、１日または１週間などの所定の期間において、所望のテレビジョン放送番組を録画予約し、その日（または週末等）帰宅した後、録画された番組の要約を参照し、録画された放送番組から、ユーザが注目する番組を確認したり、特に再生したい番組を選択するための情報として利用することである。
【０００８】
しかしながら、要約の作成処理が終わったことがユーザへ積極的に通知されない場合、作成された要約を、ユーザがうっかりと確認し忘れる可能性が高くなる。要約を作成するということは、ユーザが、その日（またはその週）に録画される放送番組の中に注目しなければならない映像があるかどうかをすばやく確認したいからであるにもかかわらず、作成された要約を見落としてしまうことはユーザにとって大きな損失である。これに対して、従来の技術ではこれを防止する方法が考えられていなかった。
【０００９】
本発明はこのような状況に鑑みてなされたものであり、要約が作成されたことをユーザに通知することができるようにするものである。
【課題を解決するための手段】
【００１０】
本発明の情報処理装置は、録画データを記憶する録画データ記憶手段と、録画データ記憶手段により記憶されている録画データから、要約を作成するために用いられる録画データを取得する録画データ取得手段と、録画データ取得手段により取得された録画データを基に、要約を生成する要約生成手段と、要約生成手段により要約が生成されたことをユーザに通知するための処理を制御する通知処理制御手段とを備えることを特徴とする。
【００１１】
所定の情報を表示する表示手段を更に設けさせるようにすることができ、通知処理制御手段には、表示手段による、要約が生成されたことをユーザに通知するための所定のメッセージの表示を制御させるようにすることができる。
【００１２】
通知処理制御手段の制御に基づいて、ＬＥＤの点滅を制御する点滅制御手段を更に設けさせるようにすることができ、通知処理制御手段には、点滅制御手段によるＬＥＤの点滅を制御することにより、ユーザに要約が生成されたことを通知させるようにすることができる。
【００１３】
音声を出力する音声出力手段を更に設けさせるようにすることができ、通知処理制御手段には、音声出力手段による、要約が生成されたことをユーザに通知するための所定の音声出力を制御させるようにすることができる。
【００１４】
通知処理制御手段の制御に基づいて、ユーザに要約が生成されたことを通知するための画像データを生成する画像データ生成手段と、画像データ生成手段により生成された画像データの他の装置への出力を制御する出力制御手段とを更に設けさせるようにすることができ、通知処理制御手段には、画像データ生成手段による画像データの生成を制御させるようにすることができる。
【００１５】
通知処理制御手段の制御に基づいて、ユーザに要約が生成されたことを通知するための画像データを生成する画像データ生成手段と、画像データ生成手段により生成された画像データの表示を制御する表示制御手段とを更に設けさせるようにすることができ、通知処理制御手段には、画像データ生成手段による画像データの生成を制御させるようにすることができる。
【００１６】
通知処理制御手段の制御に基づいて、ユーザに要約が生成されたことを通知するためのメッセージを含む電子メールを生成する電子メール生成手段と、電子メール生成手段により生成された電子メールの送信を制御する送信制御手段とを更に設けさせるようにすることができる。
【００１７】
通知処理制御手段の制御に基づいて、要約が生成されたことの通知処理を他の装置に実行させるための第１の制御信号を生成する制御信号生成手段と、制御信号生成手段により生成された第１の制御信号の、他の装置への送信を制御する送信制御手段とを更に設けさせるようにすることができる。
【００１８】
他の装置から送信された第２の制御信号を受信する受信手段と、受信手段により受信された第２の制御信号を認識する認識手段とを更に設けさせるようにすることができる。
【００１９】
本発明の情報処理方法は、所定の記憶部への録画データの記憶を制御する録画データ記憶制御ステップと、録画データ記憶制御ステップの処理により記憶が制御されている録画データを基に、要約を生成する要約生成ステップと、要約生成ステップの処理により要約が生成されたことをユーザに通知するための処理を制御する通知制御ステップとを含むことを特徴とする。
【００２０】
本発明のプログラムは、コンピュータに、所定の記憶部への録画データの記憶を制御する録画データ記憶制御ステップと、録画データ記憶制御ステップの処理により記憶が制御されている録画データを基に、要約を生成する要約生成ステップと、要約生成ステップの処理により要約が生成されたことをユーザに通知するための処理を制御する通知制御ステップとを含む処理を実行させることを特徴とする。
【００２１】
本発明の情報処理装置および情報処理方法、並びに、プログラムにおいては、録画データが記憶され、記憶されている録画データを基に、要約が生成され、要約が生成されたことがユーザに通知される。
【発明の効果】
【００２２】
本発明によれば、録画データの要約を作成することができ、特に、要約が作成されたことをユーザに通知することができる。
【発明を実施するための最良の形態】
【００２３】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２４】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２５】
請求項１に記載の情報処理装置は、録画データを記憶する録画データ記憶手段（例えば、図３、図９、図１３、図１６、または図２３の録画データおよび予約リスト保存部５５）と、録画データ記憶手段により記憶されている録画データから、要約を作成するために用いられる録画データを取得する録画データ取得手段（例えば、図３、図９、図１３、図１６、または図２３の録画データ取得制御部５７）と、録画データ取得手段により取得された録画データを基に、要約を生成する要約生成手段（例えば、図３、図９、図１３、図１６、または図２３の要約生成部５６）と、要約生成手段により要約が生成されたことをユーザに通知するための処理を制御する通知処理制御手段（例えば、図３の通知処理制御部５９、図９の通知処理制御部１０２、図１３の通知処理制御部１０２、図１６の通知処理制御部１７２、または図２３の通知処理制御部２８２）とを備えることを特徴とする。
【００２６】
所定の情報を表示する表示手段（例えば、図２のＬＣＤ１２）を更に備えることができ、通知処理制御手段は、表示手段による、要約が生成されたことをユーザに通知するための所定のメッセージの表示を制御することができる。
【００２７】
通知処理制御手段の制御に基づいて、ＬＥＤの点滅を制御する点滅制御手段（例えば、図３のＬＥＤ制御部６０）を更に備えることができ、通知処理制御手段は、点滅制御手段によるＬＥＤの点滅を制御することにより、ユーザに要約が生成されたことを通知することができる。
【００２８】
音声を出力する音声出力手段（例えば、図２のスピーカ１４）を更に備えることができ、通知処理制御手段は、音声出力手段による、要約が生成されたことをユーザに通知するための所定の音声出力を制御することができる。
【００２９】
通知処理制御手段の制御に基づいて、ユーザに要約が生成されたことを通知するための画像データを生成する画像データ生成手段（例えば、図９の画像データ生成部１０３）と、画像データ生成手段により生成された画像データの他の装置（例えば、図７のテレビジョン受像機８２）への出力を制御する出力制御手段（例えば、図９の録画データ入出力制御部５３）とを更に備えることができ、通知処理制御手段は、画像データ生成手段による画像データの生成を制御することができる。
【００３０】
通知処理制御手段の制御に基づいて、ユーザに要約が生成されたことを通知するための画像データを生成する画像データ生成手段（例えば、図１３の画像データ生成部１０３）と、画像データ生成手段により生成された画像データの表示を制御する表示制御手段（例えば、図１３の表示制御部１３６）とを更に備えることができ、通知処理制御手段は、画像データ生成手段による画像データの生成を制御することができる。
【００３１】
通知処理制御手段の制御に基づいて、ユーザに要約が生成されたことを通知するためのメッセージを含む電子メールを生成する電子メール生成手段（例えば、図１６の電子メール生成部１７３）と、電子メール生成手段により生成された電子メールの送信を制御する送信制御手段（例えば、図１６の送信制御部１７４）とを更に備えることができる。
【００３２】
通知処理制御手段の制御に基づいて、要約が生成されたことの通知処理を他の装置（例えば、図１８の情報処理装置２０３）に実行させるための第１の制御信号を生成する制御信号生成手段（例えば、図２３のソフトウェアセル生成部２８３）と、制御信号生成手段により生成された第１の制御信号の、他の装置への送信を制御する送信制御手段（例えば、図２３の送受信制御部２８４）とを更に備えることができる。
【００３３】
他の装置から送信された第２の制御信号を受信する受信手段（例えば、図２３の送受信制御部２８４）と、受信手段により受信された第２の制御信号を認識する認識手段（例えば、図２３のソフトウェアセル認識部２８５）とを更に備えることができる。
【００３４】
請求項１０に記載の情報処理方法は、所定の記憶部（例えば、図３、図９、図１３、図１６、または図２３の録画データおよび予約リスト保存部５５）への録画データの記憶を制御する録画データ記憶制御ステップ（例えば、図４のステップＳ３の処理）と、録画データ記憶制御ステップの処理により記憶が制御されている録画データを基に、要約を生成する要約生成ステップ（例えば、図４のステップＳ５の処理）と、要約生成ステップの処理により要約が生成されたことをユーザに通知するための処理を制御する通知制御ステップ（例えば、図４のステップＳ７の処理）とを含むことを特徴とする。
【００３５】
また、請求項１１に記載のプログラムにおいても、各ステップが対応する実施の形態（但し一例）は、請求項１０に記載の情報処理方法と同様である。
【００３６】
以下、図を参照して、本発明の実施の形態について説明する。
【００３７】
図１は、本発明の第１の実施の形態における録画再生装置１の外観構成の１例を示す図である。
【００３８】
録画再生装置１には、例えば、ボタン２１やダイヤル２２などを含む操作入力部１１、ユーザに録画データの要約が作成されたことを通知するための所定の情報を表示するＬＣＤ（Liquid Crystal Display）１２、ユーザに録画データの要約が作成されたことを通知するために点灯するＬＥＤ（Light Emitting Diode）１３、および、ユーザに録画データの要約が作成されたことを通知するための音声メッセージを出力するスピーカ１４が設けられている。録画再生装置１には、ＬＣＤ１２、ＬＥＤ１３、または、スピーカ１４のうちの、少なくともいずれか１つが設けられていればよい。
【００３９】
図２は、図１の録画再生装置１のハードウェア構成を示すブロック図である。
【００４０】
ＣＰＵ（Central Processing Unit）３１は、録画再生装置１全体の動作を制御するものである。ＣＰＵ３１は、ＵＩ（User Interface）入出力インターフェース３６およびバス３２を介して操作入力部１１から供給されるユーザの操作入力を受け、表示制御部３７によるＬＣＤ１２またはＬＥＤ１３への情報の表示の制御、もしくは、音声出力処理部３８によるスピーカ１４からの音声出力を制御するとともに、バス３２を介して、外部入出力インターフェース３３および映像処理部３４と接続され、それらの動作を制御する。
【００４１】
外部入出力インターフェース３３は、ＣＰＵ３１の制御に基づいて、図示しないテレビジョン受像機またはチューナから、録画される放送番組データの入力を受け、映像処理部３４に供給したり、映像処理部３４から、記憶部３５に記憶されている録画データのうちユーザにより再生が指令された録画データの供給を受け、図示しないテレビジョン受像機に出力する。
【００４２】
映像処理部３４は、ＣＰＵ３１の制御に基づいて、外部入出力インターフェース３３から、録画される放送番組データの入力を受け、所定の映像処理を施したあと、記憶部３５に供給して記憶させたり、ユーザにより再生が指令された録画データを記憶部３５から読み出して所定の映像処理を施し、外部入出力インターフェース３３に出力する。更に、映像処理部３４は、ＣＰＵ３１の制御に基づいて、ユーザにより要約の作成が指令された録画データを記憶部３５から読み出して所定の映像処理を施し、要約を作成して、記憶部３５に記憶させたり、外部入出力インターフェース３３に出力する。
【００４３】
記憶部３５は、録画データおよび要約データ、または、予約リストなどの処理に必要な情報を記憶する。記憶部３５は、例えば、ＨＤ（Hard Disc）などの記録媒体により構成されていてもよいし、ＤＶＤ（Digital Versatile Disc），ＣＤ（Compact Disc）、半導体メモリ、磁気テープなどのリムーバブルな記録媒体により構成されていてもよい。
【００４４】
また、ＣＰＵ３１は、バス３２を介して、ＵＩ入出力インターフェース３６とも接続されている。ＵＩ入出力インターフェース３６は、操作入力部１１、表示制御部３７、音声出力処理部３８と接続されている。
【００４５】
表示制御部３７は、ＣＰＵ３１の制御に基づいて、ＬＣＤ１２に所定のメッセージを表示させたり、ＬＥＤの点灯および消灯を制御する。音声出力処理部３８は、ＣＰＵ３１の制御に基づいて、所定の音声メッセージをスピーカ１４から出力させる。操作入力部１１は、ユーザからの操作入力を受け、ＵＩ入出力インターフェース３６およびバス３２を介して、ＣＰＵ３１に供給する。操作入力部１１には、図１を用いて説明したボタン２１やダイヤル２２以外の操作入力デバイスや、図示しないリモートコマンダから送信される、ユーザの操作入力を示す赤外線信号または無線信号などを受信する受信部を備えるようにしてもよい。
【００４６】
図３は、録画再生装置１が実現可能な機能を説明するための機能ブロック図である。
【００４７】
全体制御部５１は、録画再生装置１の機能全体を制御するものであり、例えば、操作入力部１１により入力されたユーザの操作入力に基づいて、録画予約管理部５２を制御して、録画予約を実行させたり、録画データ処理部５４を制御して、録画される放送番組データ、または、再生される録画データを処理させるとともに、録画データおよび予約リスト保存部５５から、予約リストを読み出し、図示しないテレビジョン受像機に供給して表示させたり、要約生成部５６を制御して、要約を作成させるなどの処理を実行したり、要約生成部５６の処理により要約が生成された場合、通知処理制御部５９を制御して、ユーザに、要約が生成されたことを通知させる。
【００４８】
録画予約管理部５２は、全体制御部５１の制御に基づいて、ユーザが指定した放送番組の録画予約処理を実行する。具体的には、録画予約管理部５２は、全体制御部５１の制御に基づいて、ユーザが録画処理を予約する放送番組として指定した放送番組の放送時間や放送局などの情報を管理して、予約リストとして録画データおよび予約リスト保存部５５に保存するとともに、保存された予約リストを参照して、その放送番組を録画するための制御信号を生成し、録画データ入出力制御部５３を制御して、対応する放送番組の映像データおよび音声データを取得させる。また、録画予約管理部５２が管理する予約リストには、録画されて、録画データおよび予約リスト保存部５５に保存されている録画データに対応する放送番組の一覧も含まれているようにしてもよい。
【００４９】
録画データ入出力制御部５３は、全体制御部５１の制御に基づいて、図２の外部入出力インターフェース３３による、図示しないテレビジョン受像機またはチューナとのデータの授受、すなわち、録画される放送番組に対応する映像データおよび音声データの取得と、録画された放送番組を再生させるための映像データおよび音声データの出力とを制御する。また、録画データ入出力制御部５３は、上述した予約リストを読み出して、図示しないテレビジョン受像機に出力したり、後述する要約生成部５６の処理により生成される要約データの供給を受け、図示しないテレビジョン受像機に出力する。
【００５０】
録画データ処理部５４は、全体制御部５１の制御に基づいて、録画データ入出力制御部５３の処理により入力が制御された録画される放送番組に対応する映像データおよび音声データに所定の処理を施して、録画データおよび予約リスト保存部５５に供給するとともに、録画された放送番組を再生させるために、録画データおよび予約リスト保存部５５から、ユーザにより指定された放送番組に対応する映像データおよび音声データを読み出して、所定の処理を施し、録画データ入出力制御部５３に供給する。
【００５１】
録画データおよび予約リスト保存部５５は、図２の記憶部３５の記憶領域のうちの少なくとも一部に対応し、録画予約管理部５２により管理される予約リスト、および、録画データ処理部５４により所定の処理が施された録画データ（放送番組の映像データおよび音声データ）を保存する。
【００５２】
要約生成部５６は、全体制御部５１の制御に基づいて、録画データおよび予約リスト保存部５５に保存されている録画データを用いて、録画された放送番組のあらすじやハイライト場面などをユーザに提示するための録画データの要約を作成する。例えば、要約生成部５６は、ユーザにより要約を作成する録画データとして選択された録画データを、録画データ取得制御部５７を制御して、録画データおよび予約リスト保存部５５から検索させて取得させ、あらかじめ定められた要約の生成方法に基づいて、例えば、その録画データの最初の５分などを要約データとして、要約保存部５８に供給して保存させる。そして、要約生成部５６は、要約データの出力が指令された場合、全体制御部５１の制御に基づいて、要約保存部５８から対応する要約データを読み出して、録画データ入出力制御部５３を介して、図示しないテレビジョン受像機に出力して再生させる。また、要約生成部５６は、例えば、「映像の先頭を使って要約」、「適当に要約」などの、複数の方法で要約を作成することができるようにしてもよい。このような場合、例えば、ユーザに要約の作成方法をそのつど選択させることができるようにし、要約生成部５６は、ユーザにより選択された要約の作成方法を用いて要約を作成するようにしてもよい。
【００５３】
録画データ取得制御部５７は、要約生成部５６の制御に基づいて、ユーザにより要約を作成する録画データとして選択された録画データを、録画データおよび予約リスト保存部５５から検索して取得し、要約生成部５６に供給する。要約保存部５８は、図２の記憶部３５の記憶領域のうち、録画データおよび予約リスト保存部５５とは異なる部分のうちの少なくとも一部に対応し、要約生成部５８の処理により生成された要約データを保存する。
【００５４】
通知処理制御部５９は、全体制御部５１の制御に基づいて、要約の生成が終了したことをユーザに通知するために、ＬＥＤ制御部６０、ＬＣＤ制御部６１、および、スピーカ制御部６２を制御する。ＬＥＤ制御部６０は、通知処理制御部５９の制御に基づいて、ＬＥＤ１３の点灯および消灯を制御する。ＬＣＤ制御部６１は、通知処理制御部５９の制御に基づいて、ＬＣＤ１２に所定のメッセージを表示させる。スピーカ制御部６２１は、通知処理制御部５９の制御に基づいて、スピーカ１４から所定の警告音、または、所定の音声メッセージを出力させる。
【００５５】
なお、録画再生装置１には、ＬＣＤ１２，ＬＥＤ１３、または、スピーカ１４のうちの、少なくともいずれか１つが設けられていればよいので、ＬＥＤ制御部６０、ＬＣＤ制御部６１、および、スピーカ制御部６２は、少なくとも、ＬＣＤ１２，ＬＥＤ１３、または、スピーカ１４のうちの、録画再生装置１に設けられているものに対応するものが設けられていればよい。
【００５６】
次に、図３に基づいて、録画再生装置１の動作について説明する。
【００５７】
操作入力部１１は、ユーザにより、録画予約する放送番組を指定するための操作入力を受け、全体制御部５１に供給する。全体制御部５１は、録画予約管理部５２を制御して、録画データおよび予約リスト保存部５５に保存されている予約リストを読み出して、録画予約されている放送番組に関する情報を更新させ、ユーザにより指定された放送番組の録画処理を予約させる。
【００５８】
操作入力部１１は、ユーザにより、録画予約された放送番組のリストなどを表示させるための操作入力を受け、全体制御部５１に供給する。全体制御部５１は、録画予約管理部５２を制御して、録画データおよび予約リスト保存部５５に保存されている予約リストを読み出して、録画予約されている放送番組のリストを表示させるために必要な情報を、録画データ入出力制御部５３から、図示しないテレビジョン受像機に出力させて表示させる。ユーザは、録画予約された放送番組のリストを参照し、録画予約された放送番組のうち、いずれの放送番組の要約を作成させるかを決定し、要約の作成を指令する放送番組を選択する操作入力を、操作入力部１１に対して実行する。
【００５９】
ここで、ユーザが、要約の作成を指令する放送番組を選択する方法としては、放送番組ごとの指定以外に、例えば、期間による指定なども考えられる。すなわち、ユーザに指定された所定の期間に録画された放送番組における要約の作成を指定することができるようにするものである。このような間接的な指定方法を用いても、要約の作成を指令する放送番組の選択を受けることが可能である。
【００６０】
そして、操作入力部１１は、ユーザにより、要約映像の時間を指定するための操作入力を受け、全体制御部５１に供給する。ここで、要約映像の時間の指定方法は、要約を作成する番組ごとに時間を指定することができるようにしてもよいし、要約の作成を指令した番組の要約の合計の要約映像の時間を設定することができるようにしてもよい。すなわち、ユーザが３つの放送番組に対する要約の作成を指令した場合、３つの放送番組それぞれに対して、個別に要約映像の時間を設定することができるようにしてもよいし、合計の時間を１５分と設定し、３つの番組それぞれの要約が５分ずつ作成されるようにしてもよい。
【００６１】
更に、要約生成部５６が、複数の方法で要約を作成することができるようになされている場合、全体制御部５１は、録画データ入出力制御部５３を介して、要約の作成方法の一覧をユーザに提示するために必要な情報を、図示しないテレビジョン受像機に出力して表示させる。ユーザは、表示された要約の作成方法の一覧を参照し、所望の要約の作成方法を選択する操作入力を、操作入力部１１に対して実行する。
【００６２】
そして、操作入力部１１は、ユーザにより、選択された放送番組に対する要約の作成方法の入力を受け、全体制御部５１に供給する。
【００６３】
録画予約管理部５２は、録画データおよび予約リスト保存部５５に保存されている予約リストを参照して、録画予約された放送番組の録画を制御する。すなわち、録画予約管理部５２は、その放送番組を録画するための制御信号を生成し、録画データ入出力制御部５３を制御して、対応する放送番組の映像データおよび音声データを取得させる。録画データ入出力制御部５３は、ユーザにより指定された放送番組に対応する映像データおよび音声データを、図示しないテレビジョン受像機またはチューナから取得し、録画データ処理部５４に供給する。録画データ処理部５４は、録画データ入出力制御部５３の処理により入力が制御された録画される放送番組に対応する映像データおよび音声データに所定の処理を施して、録画データおよび予約リスト保存部５５に供給する。録画データおよび予約リスト保存部５５は、供給された録画データを保存する。また、録画予約管理部５２は、録画データおよび予約リスト保存部５５に保存されている予約リストに、すでに録画されている放送番組に関する情報が記載されている場合、予約リストを更新する。
【００６４】
全体制御部５１は、ユーザにより要約の作成を指令された放送番組の録画が終了した場合、要約生成部５６を制御し、対応する放送番組の要約データを、ユーザにより設定された要約作成方法および要約映像時間を基に作成させる。要約生成部５６は、録画データ取得制御部５７を制御して、ユーザにより要約を作成する録画データとして選択された録画データを、録画データおよび予約リスト保存部５５から検索させて取得させ、全体制御部５１の制御に基づいて、対応する放送番組の要約データを、ユーザにより設定された要約作成方法および要約映像時間を基に作成し、要約保存部５８に供給して保存させる。
【００６５】
なお、ここでは、録画予約された放送番組から、要約を作成するものが選択されるようになされているが、すでに録画された放送番組のうち、ユーザが選択したものの要約を作成することができるようにしてもよいことはいうまでもない。
【００６６】
全体制御部５１は、要約生成部５６による要約データの生成と保存が終了した場合、通知処理制御部５９を制御して、要約の生成が終了したことをユーザに通知させる。すなわち、通知処理制御部５９は、全体制御部５１の制御に基づいて、要約の生成が終了したことをユーザに通知するために、ＬＥＤ制御部６０を制御して、ＬＥＤ１３をあるパターンで明滅させるか、ＬＣＤ制御部６１を制御して、ＬＣＤ１２に、例えば、「要約ができています」などの所定のメッセージを表示させるか、または、スピーカ制御部６２を制御して、スピーカ１４から、例えば、「要約ができています」などの所定の音声メッセージを出力させたり、「ピッ、ピッ」という音を出力する。通知処理制御部５９は、３つの通知方法のうちのいずれか１つの方法を用いて、ユーザに要約が生成されたことを通知するようにしてもよいし、複数の方法を用いて、ユーザに要約が生成されたことを通知するようにしてもよいし、ユーザによりあらかじめ指定された少なくとも１つの方法を用いて、ユーザに要約が生成されたことを通知するようにしてもよい。
【００６７】
そして、操作入力部１１は、ユーザにより、作成された要約の再生を指令する操作入力を受け、全体制御部５１に供給する。
【００６８】
全体制御部５１は、要約生成部５６を制御して、要約保存部５８に保存されている要約データのうち、ユーザにより再生が指令された要約を検索させて、録画データ入出力制御部５３を介して、図示しないテレビジョン受像機に出力させ、再生出力させる。
【００６９】
次に、図４のフローチャートを参照して、録画再生装置１が実行する、要約作成および通知処理について説明する。
【００７０】
ステップＳ１において、全体制御部５１は、操作入力部１１から、ユーザが入力した、例えば、ＬＣＤ１２，ＬＥＤ１３，または、スピーカ１４のうちのいずれを用いて要約作成終了の通知を行うかの設定や、スピーカ１４を用いて通知を行う場合、「要約ができています」などの所定の音声メッセージを出力させるか、「ピッ、ピッ」という音を出力するかの選択などの、要約作成終了の通知に必要な設定を受け、通知処理制御部５９に供給する。通知処理制御部５９は、内部の図示しない設定保存部に、要約通知方法の設定を保存する。例えば、録画再生装置１に、ＬＣＤ１２，ＬＥＤ１３、または、スピーカ１４のうちのいずれか１つしか設けられていない場合など、要約作成終了の通知に必要な設定がない場合、ステップＳ１の処理は実行されない。
【００７１】
ステップＳ２において、全体制御部５１は、操作入力部１１から供給される、ユーザの操作入力を示す情報を基に、録画予約の指令を受けたか否かを判断する。
【００７２】
ステップＳ２において、録画予約の指令を受けたと判断された場合、ステップＳ３において、全体制御部５１は、録画予約管理部５２を制御して、予約された放送番組を録画させる。すなわち、録画予約管理部５２は、その放送番組を録画するための制御信号を生成し、録画データ入出力制御部５３を制御して、対応する放送番組の映像データおよび音声データを取得させて、録画データ処理部５４に供給させる。録画データ処理部５４は、全体制御部５１の制御に基づいて、録画データ入出力制御部５３の処理により入力が制御された録画される放送番組に対応する映像データおよび音声データに所定の処理を施して、録画データおよび予約リスト保存部５５に供給する。録画データおよび予約リスト保存部５５は、供給された録画データを保存する。すなわち、設定された時刻に、設定された放送番組を録画する処理が実行される。
【００７３】
ステップＳ４において、全体制御部５１は、操作入力部１１から供給される、ユーザの操作入力を示す情報を基に、要約作成の指令（要約の作成方法や要約映像時間の指令を含む）を受けたか否かを判断する。
【００７４】
なお、ステップＳ３の処理とステップＳ４の処理とは、記載された順番とは逆の順番で実行されてもかまわない。
【００７５】
ステップＳ４において、要約作成の指令を受けたと判断された場合、ステップＳ５において、全体制御部５１は、要約生成部５６を制御し、対応する放送番組の要約データを、ユーザにより設定された要約作成方法および要約映像時間を基に作成させる。要約生成部５６は、録画データ取得制御部５７を制御して、ユーザにより要約を作成する録画データとして選択された録画データを、録画データおよび予約リスト保存部５５から検索させて取得させ、全体制御部５１の制御に基づいて、対応する放送番組の要約データを、ユーザにより設定された要約作成方法および要約映像時間を基に作成し、要約保存部５８に供給する。要約保存部５８は、供給された要約データを保存する。
【００７６】
ステップＳ６において、全体制御部５１は、ユーザにより指令されたすべての要約の作成が終了したか否かを判断する。ステップＳ６において、すべての要約の作成が終了していないと判断された場合、処理は、ステップＳ５に戻り、それ以降の処理が繰り返される。
【００７７】
ステップＳ６において、すべての要約の作成が終了したと判断された場合、ステップＳ７において、図５を用いて後述する要約通知処理が実行されて、処理が終了される。
【００７８】
ステップＳ２において、録画予約の指令を受けていないと判断された場合、または、ステップＳ４において、要約作成の指令を受けていないと判断された場合、処理が終了される。
【００７９】
このような処理により、ユーザの設定に基づいて、放送番組の録画処理が予約され、録画予約された、または、録画された放送番組のうち、要約を作成するものが選択され、要約の作成方法などが指令されて、録画データを基に、要約が作成されて、要約の作成終了が、ユーザに通知される。
【００８０】
次に、図５のフローチャートを参照して、録画再生装置１が図４のステップＳ７において実行する、要約通知処理１について説明する。
【００８１】
ステップＳ２１において、通知処理制御部５９は、図７のステップＳ１において内部の図示しない設定保存部に保存された、要約通知方法の設定を読み込む。
【００８２】
ステップＳ２２において、通知処理制御部５９は、ＬＣＤ１２を用いた通知が設定されているか否かを判断する。
【００８３】
ステップＳ２２において、ＬＣＤ１２を用いた通知が設定されていると判断された場合、ステップＳ２３において、通知処理制御部５９は、ＬＣＤ制御部６１を制御して、例えば、図６に示されるように、ＬＣＤ１２に、「要約ができています」などの所定のメッセージを表示させる。
【００８４】
ステップＳ２２において、ＬＣＤ１２を用いた通知が設定されていないと判断された場合、または、ステップＳ２３の処理の終了後、ステップＳ２４において、通知処理制御部５９は、ＬＥＤ１３を用いた通知が設定されているか否かを判断する。
【００８５】
ステップＳ２４において、ＬＥＤ１３を用いた通知が設定されていると判断された場合、ステップＳ２５において、通知処理制御部５９は、ＬＥＤ制御部６０を制御して、ＬＥＤ１３を所定のパターンで点灯（明滅）させる。
【００８６】
ステップＳ２４において、ＬＥＤ１３を用いた通知が設定されていないと判断された場合、または、ステップＳ２５の処理の終了後、ステップＳ２６において、通知処理制御部５９は、音声を用いた通知、すなわち、スピーカ１４を用いた音声出力による通知が設定されているか否かを判断する。
【００８７】
ステップＳ２６において、音声を用いた通知が設定されていると判断された場合、ステップＳ２７において、通知処理制御部５９は、スピーカ制御部６２を制御して、スピーカ１４から、例えば、「要約ができています」などの所定の音声メッセージを出力させるか、「ピッ、ピッ」という音を出力させて、処理は、図４のステップＳ７に戻り、処理が終了される。ステップＳ２６において、音声を用いた通知が設定されていないと判断された場合、処理は、図４のステップＳ７に戻り、処理が終了される。
【００８８】
このような処理により、録画再生装置１は、ＬＣＤ１２，ＬＥＣ１３、または、スピーカ１４のうちの少なくともいずれか１つを用いて、ユーザに対して、要約の作成が終了したことを通知することができるので、ユーザの、作成された要約の視聴し忘れを減少させることができる。
【００８９】
ところで、以上説明した本発明の第１の実施の形態においては、録画再生装置１は、要約の作成が終了した時点において、ＬＣＤ１２，ＬＥＣ１３、または、スピーカ１４のうちの少なくともいずれか１つを用いて、ユーザに対して、要約の作成が終了したことを通知するので、通知が実行されたときに、ユーザが録画再生装置１の付近にいない場合など、ユーザは、要約の作成終了の通知に気がつかない恐れがある。
【００９０】
具体的には、録画再生装置１が、ユーザが留守中の期間の録画予約と要約の作成の指令を受け、ユーザの帰宅前に要約の作成が終了し、ＬＣＤ１２にメッセージが表示された状態において、帰宅後のユーザが、要約の作成を指令したことをすっかり忘れて、録画された放送番組の視聴を始めてしまった場合、録画再生装置１のＬＣＤ１２の表示に意識が向かないようなことが発生してしまう可能性がある。
【００９１】
そこで、次に、本発明の第２の実施の形態として、テレビジョン受像機の近くに設置され、いわゆるスリープモード（またはサスペンドモードや省電力モードとも称される）の設定が可能な録画再生装置８１による、要約作成終了の通知について説明する。
【００９２】
図７は、本発明の第２の実施の形態における録画再生装置８１およびテレビジョン受像機８２の外観構成の１例を示す図である。
【００９３】
なお、図１における場合と対応する部分には同一の符号を付してあり、その説明は適宜省略する。
【００９４】
すなわち、図７の録画再生装置８１は、図１の録画再生装置１と比較して、ＬＣＤ１２，ＬＥＣ１３、および、スピーカ１４が省略されている。テレビジョン受像機８１は、一般的なテレビジョン受像機の機能を有するものであり、図示しないアンテナにより取得されたテレビジョン放送番組の映像データおよび音声データ、または、録画再生装置８１から供給される映像データおよび音声データを表示または音声出力することができるようになされている。
【００９５】
また、録画再生装置８１におけるスリープモードとは、録画再生装置８１の消費電力を低減するために、例えば、スリープモードへの移行が指令された場合や一定時間操作入力がない場合など、録画再生装置８１の一部の機能を停止するものである。録画再生装置８１のスリープモードにおいては、少なくとも、ユーザの操作入力を検出し、再起動するために必要な機能、録画予約および要約作成のために必要な情報の保持機能、および、予約された録画処理および要約作成処理を実行する機能は停止されない。
【００９６】
スリープモード機能を有する機器においては、主電源をオンオフする第１の電源スイッチと、通常ユーザが操作する第２の電源スイッチとを個別に設け、第２の電源スイッチがオフされた場合は、スリープモードとなり、ユーザの操作入力を検出し、再起動するために必要な機能、録画予約および要約作成のために必要な情報の保持機能、および、予約された録画処理および要約作成処理を実行する機能は停止されないようになされ、第１の電源スイッチがオフされた場合にのみ、装置への電源供給をすべて停止させる（メカニカルな電源オフ）ようになされているものもある。録画再生装置８１においても、主電源をオンオフする第１の電源スイッチと、通常ユーザが操作する第２の電源スイッチとが個別に設けられた構成としてもよい。
【００９７】
図８は、図７の録画再生装置８１のハードウェア構成を示すブロック図である。
【００９８】
なお、図２における場合と対応する部分には同一の符号を付してあり、その説明は適宜省略する。
【００９９】
すなわち、図８の録画再生装置８１は、ＣＰＵ３１に代わって、図９を用いて説明する機能の実現を制御するための処理を実行可能なＣＰＵ９１が設けられ、表示制御部３７、音声出力処理部３８、ＬＣＤ１２，ＬＥＣ１３、および、スピーカ１４が省略されているほかは、基本的に、図２の録画再生装置１と同様のハードウェア構成を有するものである。
【０１００】
図９は、録画再生装置８１が実現可能な機能を説明するための機能ブロック図である。
【０１０１】
なお、図３における場合と対応する部分には同一の符号を付してあり、その説明は適宜省略する。
【０１０２】
すなわち、図９の録画再生装置８１は、全体制御部５１に代わって、全体制御部１０１が、通知処理制御部５９に代わって、通知処理制御部１０２が設けられ、ＬＥＤ制御部６０、ＬＣＤ制御部６１、および、スピーカ制御部６２が省略されて、新たに、画像データ生成部１０３が設けられている以外は、基本的に、図３を用いて説明した録画再生装置１と同様の機能を実現することができるものである。
【０１０３】
全体制御部１０１は、録画再生装置８１の機能全体を制御するものであり、例えば、操作入力部１１により入力されたユーザの操作入力に基づいて、録画予約管理部５２を制御して、録画予約を実行させたり、録画データ処理部５４を制御して、録画される放送番組データ、または、再生される録画データを処理させるとともに、録画データおよび予約リスト保存部５５から、予約リストを読み出し、図示しないテレビジョン受像機に供給して表示させたり、要約生成部５６を制御して、要約を作成させるなどの処理を実行したり、通知処理制御部１０２を制御して、画像データ生成部１０３により、ユーザに要約が生成されたことを通知するためのメッセージをテレビジョン受像機８２の表示部に表示させるための画像データ生成処理を実行させたり、要約生成部５６の処理により要約が生成された後に、スリープモードの終了が検出された場合、通知処理制御部１０２を制御して、画像データ生成部１０３により生成された、ユーザに要約が生成されたことを通知するための画像データを、テレビジョン受像機８２の表示部に表示させるための処理を実行させる。
【０１０４】
通知処理制御部１０２は、全体制御部１０１の制御に基づいて、要約の生成が終了したことをユーザに通知するために、画像データ生成部１０３を制御する。画像データ生成部１０３は、通知処理制御部１０２の制御に基づいて、例えば、「要約ができています」などの所定のメッセージをテレビジョン受像機８２の表示部に表示させるための画像データ生成処理を実行し、生成された画像データを、録画データ入出力制御部５３に供給し、テレビジョン受像機８２に供給させて、テレビジョン受像機８２の表示部に表示させる。
【０１０５】
図８および図９を用いて説明した録画再生装置８１は、基本的に、図４を用いて説明した要約作成および通知処理を実行して、ユーザの設定に基づいて、放送番組の録画処理の予約を受け、録画予約された、または、録画された放送番組のうち、要約を作成するものの選択を受け、要約の作成方法などの指令を受け、録画データを基に、要約を作成するようになされているが、ステップＳ７において、図５を用いて説明した要約通知処理１に代わって、図１０の要約通知処理２を実行することにより、要約の作成終了を、ユーザに通知するようになされている。
【０１０６】
図１０のフローチャートを参照して、録画再生装置８１が図４のステップＳ７において実行する、要約通知処理２について説明する。要約通知処理２が実行されるとき、録画再生装置８１はスリープモードであるものとして説明する。
【０１０７】
ステップＳ４１において、通知処理制御部１０２は、全体制御部１０１の制御に基づいて、要約の生成が終了したことをユーザに通知するために、画像データ生成部１０３を制御する。画像データ生成部１０３は、通知処理制御部１０２の制御に基づいて、例えば、「要約ができています」などの所定のメッセージをテレビジョン受像機８２の表示部に表示させるための画像データ生成処理を実行し、ユーザに通知するメッセージに対応する表示画像データを生成する。
【０１０８】
ステップＳ４２において、全体制御部１０１は、ユーザにより、電源が投入されたか否か、または、操作入力が行われたか否かを判断する。すなわち、全体制御部１０１は、ユーザにより、スリープモードから復帰するための操作入力を受けたか否かを判断する。ステップＳ４２において、電源が投入されず、操作入力も行われていないと判断された場合、電源が投入されたか、操作入力が行われたと判断されるまで、すなわち、スリープモードから復帰するための操作入力を受けたと判断されるまで、ステップＳ４２の処理が実行される。
【０１０９】
ステップＳ４２において、電源が投入されたか、操作入力が行われたと判断された、すなわち、スリープモードから復帰するための操作入力を受けたと判断された場合、ステップＳ４３において、全体制御部１０１は、通知処理制御部１０２を制御して、画像データ生成部１０３に、ステップＳ４１において作成された、ユーザに通知するメッセージに対応する表示画像データを、録画データ入出力制御部５３を介して、テレビジョン受像機８２に出力させる。画像データ生成部１０３は、録画データ入出力制御部５３を介して、メッセージに対応する表示画像データを出力して、例えば、図１１に示されるように、テレビジョン受像機８２の表示部において、「要約ができています」などのメッセージを表示させ、処理は、図４のステップＳ７に戻り、処理が終了される。
【０１１０】
このような処理により、録画再生装置８１は、電源が投入されたか、操作入力が行われたと判断された、すなわち、スリープモードから復帰するための操作入力を受けたと判断された場合、テレビジョン受像機８２の表示部に、例えば、「要約ができています」などのメッセージを表示させ、ユーザに対して、要約の作成が終了したことを通知することができるので、ユーザの、作成された要約の視聴し忘れを減少させることができる。
【０１１１】
また、図７乃至図１１を用いて説明した第２の実施の形態と同様の処理を、録画再生装置の機能を併せ持つテレビジョン受像機においても実行させることが可能である。
【０１１２】
図１２は、本発明の第３の実施の形態におけるテレビジョン受像機１２１のハードウェア構成を示すブロック図である。なお、テレビジョン受像機１２１の外観は、図７に示されたテレビジョン受像機８２と基本的に同一であり、一般的な外観構成であるので、その図示は省略する。
【０１１３】
ＣＰＵ１３１は、テレビジョン受像機１２１全体の動作を制御するものである。ＣＰＵ１３１は、操作入力部１３２から供給されるユーザの操作入力を受けるとともに、テレビジョン受像機１２１の各部の動作を制御する。
【０１１４】
操作入力部１３２は、例えば、ボタンやダイヤルなどの操作入力デバイスや、図示しないリモートコマンダから送信される、ユーザの操作入力を示す赤外線信号または無線信号などを受信する受信部を備え、ユーザの操作入力を示す信号を、ＣＰＵ１３１に供給する。
【０１１５】
チューナ１３３は、ＣＰＵ１３１の制御に基づいて、放送波を選局して受信し、記憶部１３８に記憶される、すなわち、録画される場合は、録画データ処理部１３４に受信した放送波（映像データおよび音声データ）を供給し、表示部１３７に表示して視聴される場合は、画像処理部１３５に、受信した放送波のうちの映像データを供給し、音声処理部１３９に受信した放送波のうちの音声データを供給する。
【０１１６】
録画データ処理部１３４は、ＣＰＵ１３１の制御に基づいて、録画される放送番組に対応する映像データおよび音声データの供給を受けて所定の処理を施し、録画データに関する各種情報とともに、記憶部１３８に供給して記憶させるとともに、録画された放送番組を再生させるために、記憶部１３８から、ユーザにより指定された放送番組に対応する映像データおよび音声データを読み出して、所定の処理を施し、映像データを表示制御部１３６に、音声データを音声処理部１３９に、それぞれ供給する。
【０１１７】
画像処理部１３５は、ＣＰＵ１３１の制御に基づいて、視聴される放送番組に対応する映像データの供給を受けて所定の処理を施し、表示制御部１３６に供給する。
【０１１８】
表示制御部１３６は、ＣＰＵ１３１の制御に基づいて、録画データ処理部１３４または画像処理部１３５により処理された映像データの供給を受けて、表示部１３７への映像の表示を制御する。表示部１３７は、例えば、ＬＣＤまたはＣＲＴなどにより構成され、表示制御部１３６の制御に基づいて、映像を表示する。
【０１１９】
記憶部１３８は、録画データ処理部１３４により処理された録画データを記憶する。記憶部１３８は、例えば、ＨＤなどの記録媒体により構成されていてもよいし、ＤＶＤ，ＣＤ、半導体メモリ、磁気テープなどのリムーバブルな記録媒体により構成されていてもよい。
【０１２０】
音声処理部１３９は、ＣＰＵ１３１の制御に基づいて、チューナ１３３、または、録画データ処理部１３４から供給された音声データの供給を受け、増幅処理やノイズリダクションなどの所定の処理を施して、スピーカ１４０に供給して音声出力させる。スピーカ１４０は、供給された音声データを音声出力する。
【０１２１】
図１３は、テレビジョン受像機１２１が実現可能な機能を説明するための機能ブロック図である。
【０１２２】
なお、図３または図９における場合と対応する部分には同一の符号を付してあり、更に、図１２におけるハードウェアブロックと機能ブロックが対応する部分にも、同一の符号を付してあり、その説明は適宜省略する。
【０１２３】
すなわち、図１３のテレビジョン受像機１２１が有する機能は、図１２を用いて説明した操作入力部１３２からユーザの操作入力を示す信号の入力を受ける視聴制御部１４１が、図１２を用いて説明したチューナ１３３、画像処理部１３５、表示制御部１３６、および、音声処理部１３９を制御して、表示部１３７およびスピーカ１４６からの放送番組の出力を制御する機能を含むものであり、更に、全体制御部１０１に代わって、操作入力部１３２より、ユーザの操作入力を示す信号を受ける全体制御部１４２が設けられている以外は、図９を用いて説明した録画再生装置８１における場合と同様の録画制御、要約作成、および、要約通知機能を含むものである。
【０１２４】
視聴制御部１４１は、テレビジョン受像機１２１の機能のうちの、放送番組または再生された録画データの視聴に関する機能全体を制御するものであり、操作入力部１３２から、ユーザの操作入力を示す信号の入力を受け、チューナ１３３、画像処理部１３５、表示制御部１３６、および、音声処理部１３９を制御する。
【０１２５】
全体制御部１４２は、テレビジョン受像機１２１の機能のうちの、録画、並びに、要約作成および通知に関する機能全体を制御するものであり、例えば、操作入力部１３２により入力されたユーザの操作入力に基づいて、録画予約管理部５２を制御して、録画予約を実行させたり、録画データ処理部５４を制御して、録画される放送番組データ、または、再生される録画データを処理させるとともに、録画データおよび予約リスト保存部５５から、予約リストを読み出し、表示制御部１３６に供給して表示部１３７に表示させたり、要約生成部５６を制御して、要約を作成させるなどの処理を実行したり、要約生成部５６の処理により要約が生成され、スリープモードの終了を検出した場合、通知処理制御部１０２を制御して、画像データ生成部１０３により、ユーザに要約が生成されたことを通知するためのメッセージを表示部１３７に表示させるための画像データ生成処理を実行させる。
【０１２６】
図１２および図１３を用いて説明したテレビジョン受像機１２１は、基本的に、図４を用いて説明した要約作成および通知処理を実行して、ユーザの設定に基づいて、放送番組の録画処理の予約を受け、録画予約された、または、録画された放送番組のうち、要約を作成するものの選択を受け、要約の作成方法などの指令を受け、録画データを基に、要約を作成するようになされているが、ステップＳ７において、図５を用いて説明した要約通知処理１に代わって、図１４の要約通知処理３を実行することにより、要約の作成終了を、ユーザに通知するようになされている。
【０１２７】
図１４のフローチャートを参照して、テレビジョン受像機１２１が図４のステップＳ７において実行する、要約通知処理３について説明する。要約通知処理３が実行されるとき、テレビジョン受像機１２１はスリープモードであるものとして説明する。
【０１２８】
ステップＳ６１において、通知処理制御部１０２は、全体制御部１４２の制御に基づいて、要約の生成が終了したことをユーザに通知するために、画像データ生成部１０３を制御する。画像データ生成部１０３は、通知処理制御部１０２の制御に基づいて、例えば、「要約ができています」などの所定のメッセージを表示部１３７に表示させるための画像データ生成処理を実行し、ユーザに通知するメッセージに対応する表示画像データを生成する。
【０１２９】
ステップＳ６２において、全体制御部１４２は、ユーザにより、電源が投入されたか否か、または、操作入力が行われたか否かを判断する。すなわち、全体制御部１４２は、ユーザにより、スリープモードから復帰するための操作入力を受けたか否かを判断する。ステップＳ６２において、電源が投入されず、操作入力も行われていないと判断された場合、電源が投入されたか、操作入力が行われたと判断されるまで、すなわち、スリープモードから復帰するための操作入力を受けたと判断されるまで、ステップＳ６２の処理が実行される。
【０１３０】
ステップＳ６２において、電源が投入されたか、操作入力が行われたと判断された、すなわち、スリープモードから復帰するための操作入力を受けたと判断された場合、ステップＳ６３において、全体制御部１４２は、通知処理制御部１０２を制御して、画像データ生成部１０３に、ステップＳ６１において作成された、ユーザに通知するメッセージに対応する表示画像データを、録画データ入出力制御部５３を介して、表示制御部１３６に出力させる。表示制御部１３６は、メッセージに対応する表示画像データを表示部１３７に出力して、例えば、図１１に示された場合と同様にして、「要約ができています」などのメッセージを表示させ、処理は、図４のステップＳ７に戻り、処理が終了される。
【０１３１】
このような処理により、テレビジョン受像機１２１は、電源が投入されたか、操作入力が行われたと判断された、すなわち、スリープモードから復帰するための操作入力を受けたと判断された場合、表示部１３７に、例えば、「要約ができています」などのメッセージを表示させ、ユーザに対して、要約の作成が終了したことを通知することができるので、ユーザの、作成された要約の視聴し忘れを減少させることができる。
【０１３２】
また、要約の作成が終了したことをユーザに通知するために、電子メールを用いることにより、ユーザが、本発明を適用した録画再生装置と乖離した場所にいても、要約の作成終了の通知をより確実に確認することができるようにしてもよい。
【０１３３】
図１５は、本発明の第４の実施の形態の録画再生装置１５１のハードウェア構成を示すブロック図である。なお、録画再生装置１５１の外観は、図７に示された録画再生装置８１と基本的に同一であり、一般的な外観構成であるので、その図示は省略する。
【０１３４】
なお、図８における場合と対応する部分には同一の符号を付してあり、その説明は適宜省略する。
【０１３５】
すなわち、図１５の録画再生装置１５１は、ＣＰＵ９１に代わって、図１６を用いて説明する機能の実現を制御するための処理を実行可能なＣＰＵ１６１が設けられ、新たに、インターネットなどの広域ネットワークと接続され、ＣＰＵ１６１の処理により生成された電子メールを所定のあて先に送信するために出力する処理を行うネットワークインターフェース１６２が設けられている以外は、基本的に、図８の録画再生装置８１と同様の構成を有するものである。
【０１３６】
図１６は、録画再生装置１５１が実現可能な機能を説明するための機能ブロック図である。
【０１３７】
なお、図９における場合と対応する部分には同一の符号を付してあり、その説明は適宜省略する。
【０１３８】
すなわち、図１６の録画再生装置１５１は、全体制御部１０１に代わって、全体制御部１７１が、通知処理制御部１０２に代わって、通知処理制御部１７２が設けられ、画像データ生成部１０３が省略されて、新たに、電子メール生成部１７３および送信制御部１７４が設けられている以外は、基本的に、図９を用いて説明した録画再生装置８１と同様の機能を実現することができるものである。
【０１３９】
全体制御部１７１は、録画再生装置１５１の機能全体を制御するものであり、例えば、操作入力部１１により入力されたユーザの操作入力に基づいて、録画予約管理部５２を制御して、録画予約を実行させたり、録画データ処理部５４を制御して、録画される放送番組データ、または、再生される録画データを処理させるとともに、録画データおよび予約リスト保存部５５から、予約リストを読み出し、図示しないテレビジョン受像機に供給して表示させたり、要約生成部５６を制御して、要約を作成させるなどの処理を実行したり、要約生成部５６の処理により要約が生成された場合、通知処理制御部１７２を制御して、電子メール生成部１７３により、ユーザに要約が生成されたことを通知するためのメッセージを含む電子メールを生成させ、送信制御部１７４により、例えば、ユーザが携帯する携帯型電話機やＰＤＡなどの電子メールアドレスなどの、ユーザから指定された送信先への、生成された電子メールの送信を制御させる。
【０１４０】
通知処理制御部１７２は、全体制御部１７１の制御に基づいて、要約の生成が終了したことをユーザに通知するために、電子メール生成部１７３を制御する。電子メール生成部１７３は、通知処理制御部１７２の制御に基づいて、例えば、「要約ができています」などの所定のメッセージを含む電子メールを生成し、生成された電子メールを、送信制御部１７４に供給する。送信制御部１７４は、ユーザから指定された送信先への、生成された電子メールの送信を制御する。
【０１４１】
図１５および図１６を用いて説明した録画再生装置１５１は、基本的に、図４を用いて説明した要約作成および通知処理を実行して、ユーザの設定に基づいて、放送番組の録画処理の予約を受け、録画予約された、または、録画された放送番組のうち、要約を作成するものの選択を受け、要約の作成方法などの指令を受け、録画データを基に、要約を作成するようになされているが、ステップＳ７において、図５を用いて説明した要約通知処理１に代わって、図１７の要約通知処理４を実行することにより、要約の作成終了を、ユーザに通知するようになされている。
【０１４２】
また、録画再生装置１５１が実行する、図４を用いて説明した要約作成および通知処理のステップＳ１においては、要約作成の通知に必要な設定として、ユーザが携帯する携帯型電話機やＰＤＡなどの電子メールアドレスなどを含む情報が設定されるものとする。
【０１４３】
図１７のフローチャートを参照して、録画再生装置１５１が図４のステップＳ７において実行する、要約通知処理４について説明する。
【０１４４】
ステップＳ８１において、通知処理制御部１７２は、全体制御部１７１より、要約の生成が終了したことの通知を受け、要約の生成が終了したことをユーザに通知するために、電子メール生成部１７３を制御する。電子メール生成部１７３は、通知処理制御部１７２の制御に基づいて、例えば、「要約ができています」などの所定のメッセージを含む電子メールを生成し、生成された電子メールを、送信制御部１７４に供給する。
【０１４５】
ステップＳ８２において、送信制御部１７４は、例えば、ユーザの携帯型電話機の電子メールアドレスなど、図４を用いて説明した要約作成および通知処理のステップＳ１の処理により設定された電子メール送信先に、要約作成終了のメッセージに対応する電子メールを送信し、処理は、図４のステップＳ７に戻り、処理が終了される。
【０１４６】
このような処理により、録画再生装置１５１は、要約が作成された場合、ユーザに対して、例えば、「要約ができています」などのメッセージを含む電子メールを作成して送信し、ユーザに対して、よりユーザが気付きやすい形態で、要約の作成が終了したことを通知することができるので、ユーザの、作成された要約の視聴し忘れを減少させることができる。
【０１４７】
また、要約の作成が終了したことを、ホームネットワークに接続された他の情報処理装置を用いてユーザに通知することにより、ユーザが、要約の作成終了時に留守にしていたり、本発明を適用した録画再生装置と乖離した場所にいても、要約の作成終了の通知をより確実に確認することができるようにしてもよい。
【０１４８】
図１８は、本発明の第５の実施の形態の録画再生装置２０１のハードウェア構成と、ホームネットワークを利用した通信システムの構成例を示すブロック図である。なお、録画再生装置２０１の外観は、図７に示された録画再生装置８１と基本的に同一であり、一般的な外観構成であるので、その図示は省略する。
【０１４９】
録画再生装置２０１と、複数の他の情報処理装置である情報処理装置２０３−１乃至情報処理装置２０３−ｎとは、ホームネットワーク２０２を介して相互に接続されている。図１８においては、情報処理装置２０３−１乃至情報処理装置２０３−ｎのうちのいずれかにテレビジョン受像機またはチューナが含まれ、ホームネットワーク２０２を介して、録画される放送番組のデータが供給されるものであっても、テレビジョン受像機またはチューナは、ホームネットワーク２０２を介さずに、直接、所定のケーブルなどで録画再生装置２０１と接続され、録画される放送番組のデータの授受が可能であるものとしてもよい。
【０１５０】
録画再生装置２０１は、情報処理装置２０３−１乃至情報処理装置２０３−ｎのうちのテレビジョン受像機またはチューナからホームネットワーク２０２を介して、または、所定のケーブルを介して取得した放送番組の映像データおよび音声データを録画、すなわち、内部の記録部２１３-１または記録部２１３-２に記録し、ユーザから再生の指令を受けたとき、再生される放送番組の映像データおよび音声データを内部の記録部２１３-１または記録部２１３-２から読み出して、ホームネットワーク２０２を介して、または、所定のケーブルを介して、テレビジョン受像機に供給する。
【０１５１】
録画再生装置２０１は、情報処理コントローラ２１１、メインメモリ２１２、記録部２１３−１、記録部２１３−２、バス２１４、操作入力部２１５、通信部２１６、およびドライブ２１７を含むように構成される。
【０１５２】
情報処理コントローラ２１１は、メインメモリ２１２に記録されている各種のプログラムを実行し、録画再生装置２０１全体を制御する。情報処理コントローラ２１１は、情報処理装置２０３-１乃至情報処理装置２０３-ｎに対して所定の処理を実行させる場合、後述するソフトウェアセルを生成し、生成したソフトウェアセルを、バス２１４を介して、通信部２１６に供給し、ホームネットワーク２０２を介して、情報処理装置２０３-１乃至情報処理装置２０３-ｎに送信する。また、情報処理コントローラ２１１は、通信部２１６がホームネットワーク２０２を介して、情報処理装置２０３-１乃至情報処理装置２０３-ｎのうちのいずれかからデータを受信した場合、バス２１４を介して、受信されたデータの供給を受け、このデータが、例えば、放送番組の映像データおよび音声データである場合など、記録が必要なデータである場合、供給されたデータを、記録部２１３−１または記録部２１３−２に供給して記憶させる。
【０１５３】
また、情報処理コントローラ２１１は、操作入力部２１５から供給される、ユーザの指令に対応する信号に基づいて、指定されたデータを、記録部２１３−１または記録部２１３−２から取得し、例えば、再生が指令された放送番組のデータなど、ユーザにより指定されたデータを、バス２１４を介して通信部２１６に供給し、情報処理装置２０３-１乃至情報処理装置２０３-ｎのうちのいずれか対応するものに送信したり、所定のケーブルを介して接続されているテレビジョン受像機に供給する。
【０１５４】
また、情報処理コントローラ２１１には、録画再生装置２０１を、ホームネットワーク２０２全体を通して一意的に特定できる装置ＩＤが割り当てられている。
【０１５５】
情報処理コントローラ２１１は、バス２４１、メインプロセッサ２４２、サブプロセッサ２４３−１乃至サブプロセッサ２４３−３、DMAC（Direct Memory Access Controller）２４４、キー管理テーブル記録部２４５、およびＤＣ（Disk Controller）２４６を備えている。
【０１５６】
メインプロセッサ２４２、サブプロセッサ２４３−１乃至サブプロセッサ２４３−３、DMAC２４４、キー管理テーブル記録部２４５、およびＤＣ２４６は、バス２４１を介して、相互に接続されている。また、メインプロセッサ２４２には、メインプロセッサ２４２を特定するためのメインプロセッサＩＤが識別子として割り当てられる。同様に、サブプロセッサ２４３−１乃至サブプロセッサ２４３−３のそれぞれには、サブプロセッサ２４３−１乃至サブプロセッサ２４３−３のそれぞれを特定するためのサブプロセッサＩＤのそれぞれが識別子として割り当てられる。
【０１５７】
メインプロセッサ２４２は、サブプロセッサ２４３−１乃至サブプロセッサ２４３−３によるプログラムの実行のスケジュール管理および情報処理コントローラ２１１（録画再生装置２０１）の全体の管理を行う。メインプロセッサ２４２は、ローカルストレージ２５１−１を備え、メインメモリ２１２からロードしたデータおよびプログラムを、ローカルストレージ２５１−１に一時的に記憶させる。メインプロセッサ２４２は、ローカルストレージ２５１−１からデータおよびプログラムを読み込み、読み込んだデータおよびプログラムを基に、各種の処理を実行する。
【０１５８】
メインプロセッサ２４２は、ホームネットワーク２０２を介して接続されている、情報処理装置２０３−１乃至情報処理装置２０３−ｎに所定の処理を実行させる場合、ソフトウェアセルを生成し、生成したソフトウェアセルを、バス２４１およびバス２１４を介して、通信部２１６に供給する。また、メインプロセッサ２４２は、管理のためのプログラム以外のプログラムを実行するように構成することもできる。この場合、メインプロセッサ２４２は、サブプロセッサとして機能する。
【０１５９】
サブプロセッサ２４３−１乃至サブプロセッサ２４３−３は、メインプロセッサ２４２の制御に基づいて、並列的かつ独立に、プログラムを実行し、データを処理する。更に、必要に応じて、メインプロセッサ２４２が実行するプログラムが、サブプロセッサ２４３−１乃至サブプロセッサ２４３−３のそれぞれが実行するプログラムのそれぞれと連携して動作するように構成することも可能である。
【０１６０】
サブプロセッサ２４３−１乃至サブプロセッサ２４３−３のそれぞれは、ローカルストレージ２５１−２乃至ローカルストレージ２５１−４のそれぞれを備える。サブプロセッサ２４３−１乃至サブプロセッサ２４３−３のそれぞれは、ローカルストレージ２５１−２乃至ローカルストレージ２５１−４のそれぞれに、必要に応じて、データおよびプログラムを一時的に記憶させる。サブプロセッサ２４３−１乃至サブプロセッサ２４３−３のそれぞれは、ローカルストレージ２５１−２乃至ローカルストレージ２５１−４のそれぞれからデータおよびプログラムを読み込み、読み込んだデータおよびプログラムを基に、各種の処理を実行する。
【０１６１】
以下、サブプロセッサ２４３−１乃至サブプロセッサ２４３−３のそれぞれを個々に区別する必要のないとき、単にサブプロセッサ２４３と称する。同様に、以下、ローカルストレージ２５１−１乃至ローカルストレージ２５１−４のそれぞれを個々に区別する必要のないとき、単にローカルストレージ２５１と称する。
【０１６２】
DMAC２４４は、キー管理テーブル記録部２４５に記録されている、メインプロセッサキー、サブプロセッサキー、およびアクセスキーを基に、メインプロセッサ２４２およびサブプロセッサ２４３からのメインメモリ２１２に記憶されているプログラムおよびデータへのアクセスを管理する。
【０１６３】
キー管理テーブル記録部２４５は、メインプロセッサキー、サブプロセッサキー、およびアクセスキーを記録している。なお、メインプロセッサキー、サブプロセッサキー、およびアクセスキーの詳細は後述する。
【０１６４】
ＤＣ２４６は、メインプロセッサ２４２およびサブプロセッサ２４３からの記録部２１３−１および記録部２１３−２へのアクセスを管理する。
【０１６５】
メインメモリ２１２は、例えば、ＲＡＭから構成される。メインメモリ２１２は、メインプロセッサ２４２およびサブプロセッサ２４３が実行する各種のプログラムおよびデータを一時的に記憶している。
【０１６６】
記録部２１３−１および記録部２１３−２は、それぞれ、例えば、ＨＤなどの記録媒体により構成されていてもよいし、ＤＶＤ，ＣＤ、半導体メモリ、磁気テープなどのリムーバブルな記録媒体により構成されていてもよい。記録部２１３−１および記録部２１３−２は、メインプロセッサ２４２およびサブプロセッサ２４３が実行する各種のプログラムや、チューナまたはテレビジョン受像機から取得された録画データなどの各種データを記録している。また、記録部２１３−１および記録部２１３−２は、情報処理コントローラ２１１から供給されたデータを記録する。以下、記録部２１３−１および記録部２１３−２を個々に区別する必要のないとき、単に記録部２１３と称する。
【０１６７】
また、情報処理コントローラ２１１には、バス２１４を介して、操作入力部２１５、通信部２１６、およびドライブ２１７が接続されている。操作入力部２１５は、例えば、ボタンやダイヤルなどの操作入力デバイスや、図示しないリモートコマンダから送信される、ユーザの操作入力を示す赤外線信号または無線信号などを受信する受信部を備え、ユーザの操作入力を示す信号を、情報処理コントローラ２１１に供給する。
【０１６８】
通信部２１６は、情報処理コントローラ２１１から供給されたソフトウェアセルを、ホームネットワーク２０２を介して情報処理装置２０３−１乃至情報処理装置２０３−ｎあてに送信する。また、通信部２１６は、情報処理装置２０３−１乃至情報処理装置２０３−ｎから送信されてきたデータやソフトウェアセルを、バス２１４を介して、情報処理コントローラ２１１に供給する。
【０１６９】
ドライブ２１７は、磁気ディスク２６１、光ディスク２６２、光磁気ディスク２６３、あるいは半導体メモリ２６４などが装着されたとき、それらを駆動し、そこに記録されているプログラムやデータなどを取得する。取得されたプログラムやデータは、必要に応じて、バス２１４を介して、情報処理コントローラ２１１に転送され、情報処理コントローラ２１１によって、記録部２１３に記録される。
【０１７０】
情報処理装置２０３−１乃至情報処理装置２０３−ｎは、ホームネットワーク２０２に接続された各種の情報処理装置であり、それぞれ、さまざまな機能を実行することができるものである。ここでは、情報処理装置２０３−１乃至情報処理装置２０３−ｎのうちの少なくともいずれか１つは、ホームネットワーク２０２を介して録画再生装置２０１からソフトウェアセルを受信することにより、ＬＥＤの点灯、テキストデータまたは画像データの表示、音声データの出力、もしくは、電子メールの送信により、ユーザに対して、録画再生装置２０１において要約が作成されたことを通知する機能と、ユーザが通知を確認した場合、通知解除を示すメッセージを含むソフトウェアセルを生成し、ホームネットワーク２０２を介して、録画再生装置２０１および自分自身以外の情報処理装置２０３−１乃至情報処理装置２０３−ｎの対応する装置に送信する機能を有するものとする。
【０１７１】
すなわち、録画再生装置２０１は、要約の作成を終了すると、要約作成終了をユーザに通知させる処理を情報処理装置２０３−１乃至情報処理装置２０３−ｎに実行させるためのソフトウェアセルを生成し、生成したソフトウェアセルを、ホームネットワーク２０２を介して、情報処理装置２０３−１乃至情報処理装置２０３−ｎあてに送信する。情報処理装置２０３−１乃至情報処理装置２０３−ｎは、録画再生装置２０１から供給されたソフトウェアセルを解析して、必要な処理を実行することができるとともに、自分自身も、ソフトウェアセルを生成し、ホームネットワーク２０２を介して、録画再生装置２０１、および、自分自身を除く情報処理装置２０３−１乃至情報処理装置２０３−ｎの対応する装置あてに送信することができる。
【０１７２】
情報処理装置２０３−１乃至情報処理装置２０３−ｎは、それぞれ、録画再生装置２０１から送信されてきたソフトウェアセルを受信し、受信したソフトウェアセルを基に、要約作成終了をユーザに通知する処理を実行する。具体的には、情報処理装置２０３−１乃至情報処理装置２０３−ｎのうち、ＬＥＤ，ＬＣＤもしくはＣＲＴなどのディスプレイ、または、スピーカなどを有するものは、図５を用いて説明した要約通知処理１と基本的に同様の処理を、ディスプレイを有する装置に対して表示画像データを生成して出力し、表示させることが可能で、かつ、スリープモードの機能を保有するものは、図１０を用いて説明した要約通知処理２と基本的に同様の処理を、ディスプレイを有し、表示画像データを生成してディスプレイに表示させることが可能で、かつ、スリープモードの機能を保有するものは、図１４を用いて説明した要約通知処理３と基本的に同様の処理を、電子メールの送信機能を有するものは、図１７を用いて説明した要約通知処理４と基本的に同様の処理を実行することにより、要約作成終了をユーザに通知する処理を実行することが可能である。情報処理装置２０３−１乃至情報処理装置２０３−ｎは、それぞれ、要求された処理を実行し、ユーザにより、通知を確認したことを示す操作入力を受けると、通知解除を示すメッセージを、ホームネットワーク２０２を介して、録画再生装置２０１および自分自身以外の情報処理装置２０３−１乃至情報処理装置２０３−ｎの対応する装置に送信する。以下、情報処理装置２０３−１乃至情報処理装置２０３−ｎを個々に区別する必要のないとき、単に情報処理装置２０３と称する。
【０１７３】
次に、図１９乃至図２１を参照して、サブプロセッサ２４３がメインメモリ２１２にアクセスする場合の処理について説明する。
【０１７４】
図１９で示されるように、メインメモリ２１２には、複数のアドレスを指定できるメモリロケーションが配置される。各メモリロケーションに対しては、データの状態を示す情報を格納するための追加セグメントが割り振られる。追加セグメントは、Ｆ／Ｅビット、サブプロセッサＩＤおよびＬＳアドレス（ローカルストレージアドレス）を含む。また、各メモリロケーションには、後述するアクセスキーが割り振られる。
【０１７５】
“０”であるＦ／Ｅビットは、サブプロセッサ２４３によって読み出されている処理中のデータ、または空き状態であるため最新データではない無効データであり、そのメモリロケーションから読み出し不可であることを示す。また、“０”であるＦ／Ｅビットは、そのメモリロケーションにデータ書き込み可能であることを示し、データが書き込まれると、Ｆ／Ｅビットは“１”に設定される。
【０１７６】
“１”であるＦ／Ｅビットは、そのメモリロケーションのデータがサブプロセッサ２４３によって読み出されておらず、未処理の最新データであることを示す。Ｆ／Ｅビットが“１”であるメモリロケーションのデータは読み出し可能であり、サブプロセッサ２４３によって読み出されてから、Ｆ／Ｅビットは“０”に設定される。また、“１”であるＦ／Ｅビットは、メモリロケーションがデータ書き込み不可であることを示す。
【０１７７】
さらに、Ｆ／Ｅビットが“０”（読み出し不可／書き込み可）である状態において、メモリロケーションについて読み出し予約を設定することが可能である。Ｆ／Ｅビットが“０”であるメモリロケーションに対して読み出し予約を行う場合には、サブプロセッサ２４３は、読み出し予約を行うメモリロケーションの追加セグメントに、読み出し予約情報としてサブプロセッサ２４３のサブプロセッサＩＤおよびＬＳアドレスを書き込む。そして、データを書き込むサブプロセッサ２４３によって、読み出し予約されたメモリロケーションにデータが書き込まれ、Ｆ／Ｅビットが“１”（読み出し可／書き込み不可）に設定されたとき、あらかじめ読み出し予約情報として追加セグメントに書き込まれているサブプロセッサＩＤおよびＬＳアドレスによって特定されるローカルストレージ２５１に読み出される。
【０１７８】
複数のサブプロセッサ２４３によってデータを多段階に処理する必要がある場合、このように各メモリロケーションのデータの読み出しおよび書き込みを制御することによって、前段階の処理を行うサブプロセッサ２４３が、処理済みのデータをメインメモリ２１２における所定のアドレスに書き込んだ後に即座に、後段階の処理を行う別のサブプロセッサ２４３が前処理後のデータを読み出すことが可能となる。
【０１７９】
また、図２０で示されるように、サブプロセッサ２４３のローカルストレージ２５１は、複数のアドレスを指定できるメモリロケーションによって構成される。各メモリロケーションに対しては、同様に追加セグメントが割り振られる。追加セグメントは、ビジービットを含む。
【０１８０】
サブプロセッサ２４３がメインメモリ２１２に記憶されているデータをサブプロセッサ２４３のローカルストレージ２５１のメモリロケーションに読み出すときには、対応するビジービットを“１”に設定して予約する。ビジービットが“１”であるメモリロケーションには、他のデータを格納することができない。ローカルストレージ２５１のメモリロケーションにデータが読み出されると、ビジービットは“０”に設定され、他のデータを格納することができるようになる。
【０１８１】
更に、図１９で示すように、情報処理コントローラ２１１に接続されているメインメモリ２１２には、複数のサンドボックスが含まれる。サンドボックスは、メインメモリ２１２内の領域を画定するものであり、各サンドボックスは、各サブプロセッサ２４３に割り当てられ、割り当てられたサブプロセッサ２４３が排他的に使用することができる。すなわち、サブプロセッサ２４３は、割り当てられたサンドボックスを使用できるが、この領域を超えてデータにアクセスすることはできない。
【０１８２】
メインメモリ２１２は、複数のメモリロケーションから構成されるが、サンドボックスは、これらのメモリロケーションの集合である。
【０１８３】
更に、メインメモリ２１２の排他的な制御を実現するために、図２１で示されるキー管理テーブルが用いられる。キー管理テーブルは、キー管理テーブル記録部２４５に記録され、DMAC２４４と関連付けられる。キー管理テーブル内の各エントリには、サブプロセッサＩＤ、サブプロセッサキーおよびキーマスクが含まれる。
【０１８４】
サブプロセッサ２４３がメインメモリ２１２にアクセスする場合、サブプロセッサ２４３はDMAC２４４に、読み出しまたは書き込みのコマンドを出力する。このコマンドには、サブプロセッサ２４３を特定するサブプロセッサＩＤおよびアクセス要求先であるメインメモリ２１２のアドレスが含まれる。
【０１８５】
DMAC２４４は、サブプロセッサ２４３から供給されたコマンドを実行する場合、キー管理テーブルを参照して、アクセス要求元のサブプロセッサ２４３のサブプロセッサキーを調べる。そして、DMAC２４４は、調べたアクセス要求元のサブプロセッサキーと、アクセス要求先であるメインメモリ２１２のメモリロケーションに割り振られたアクセスキーとを比較して、２つのキーが一致した場合にのみ、サブプロセッサ２４３から供給されたコマンドを実行する。
【０１８６】
図２１に示されるキー管理テーブルに記録されているキーマスクは、その任意のビットが“１”になることによって、そのキーマスクと関連付けられたサブプロセッサキーの対応するビットを“０”または“１”にすることができる。
【０１８７】
例えば、サブプロセッサキーが“１０１０”であるとする。通常、このサブプロセッサキーによって“１０１０”のアクセスキーを持つサンドボックスへのアクセスだけが可能になる。しかし、このサブプロセッサキーと関連付けられたキーマスクが“０００１”に設定されている場合には、キーマスクのビットが“１”に設定された桁のみにつき、サブプロセッサキーとアクセスキーとの一致判定がマスクされ（キーマスクのビットが“１”に設定された桁について、判定されず）、このサブプロセッサキー“１０１０”によってアクセスキーが“１０１０”または“１０１１”のいずれかであるアクセスキーを持つサンドボックスへのアクセスが可能となる。
【０１８８】
以上のようにして、メインメモリ２１２のサンドボックスの排他性が実現される。すなわち、複数のサブプロセッサ２４３によってデータを多段階に処理する必要がある場合、以上のように構成することによって、前段階の処理を行うサブプロセッサ２４３と、後段階の処理を行うサブプロセッサ２４３のみが、メインメモリ２１２の所定のアドレスにアクセスできるようになり、データを保護することができる。
【０１８９】
例えば、キーマスクの値は、以下のように変更されることが考えられる。まず、録画再生装置２０１の起動直後においては、キーマスクの値は全て“０”である。メインプロセッサ２４２にロードされたプログラムが実行され、サブプロセッサ２４３にロードされたプログラムと連携動作するものとする。サブプロセッサ２４３−１により出力された処理結果データを、メインメモリ２１２に記憶させ、メインメモリ２１２に記憶させた処理結果データを、サブプロセッサ２４３−２に入力したいときには、サブプロセッサ２４３−１により出力された処理結果データを記憶しているメインメモリ２１２の領域は、サブプロセッサ２４３−１およびサブプロセッサ２４３−２からアクセス可能である必要がある。そのような場合に、メインプロセッサ２４２は、キーマスクの値を適切に変更し、複数のサブプロセッサ２４３からアクセスできるメインメモリの領域を設けることにより、サブプロセッサ２４３による多段階的の処理を可能にする。
【０１９０】
より具体的には、例えば、情報処理装置２０３−１乃至情報処理装置２０３−ｎから送信されてきたデータを基に、サブプロセッサ２４３−１が所定の処理実行し、処理が施されたデータをメインメモリ２１２の第１の領域に記憶させる。そして、サブプロセッサ２４３−２は、メインメモリ２１２の第１の領域から、記憶されているデータを読み出し、読み出したデータを基に、所定の処理を実行し、処理が施されたデータをメインメモリ２１２の第１の領域とは、異なる第２の領域に記憶させる。
【０１９１】
ここで、サブプロセッサ２４３−１のサブプロセッサキーが“０１００”であり、メインメモリ２１２の第１の領域のアクセスキーが“０１００”であり、サブプロセッサ２４３−２のサブプロセッサキーが“０１０１”であり、メインメモリ２１２の第２の領域のアクセスキーが“０１０１”である場合、サブプロセッサ２４３−２は、メインメモリ２１２の第１の領域にアクセスすることができない。そこで、サブプロセッサ２４３−２のキーマスクを“０００１”にすることによって、サブプロセッサ２４３−２は、メインメモリ２１２の第１の領域にアクセスすることができるようになる。
【０１９２】
図２２は、ソフトウェアセルの構成の例を示す図である。図２２を参照して、録画再生装置２０１がソフトウェアセルを生成し、生成したソフトウェアセルを基に、情報処理装置２０３−１乃至情報処理装置２０３−ｎに分散処理を実行させる場合の処理について説明する。
【０１９３】
録画再生装置２０１のメインプロセッサ２４２は、処理を実行するために必要なコマンド、プログラム、およびデータを含むソフトウェアセルを生成し、ホームネットワーク２０２を介して情報処理装置２０３−１乃至情報処理装置２０３−ｎに送信する。
【０１９４】
ソフトウェアセルは、例えば、送信元ＩＤ、送信先ＩＤ、応答先ＩＤ、セルインターフェース、DMAコマンド、プログラム、およびデータを含むように構成される。
【０１９５】
送信元ＩＤには、ソフトウェアセルの送信元である録画再生装置２０１のネットワークアドレスおよび録画再生装置２０１の情報処理コントローラ２１１の装置ＩＤ、さらに、録画再生装置２０１の情報処理コントローラ２１１が備えるメインプロセッサ２４２およびサブプロセッサ２４３の識別子（メインプロセッサＩＤおよびサブプロセッサＩＤ）が含まれる。
【０１９６】
送信先ＩＤには、ソフトウェアセルの送信先である情報処理装置２０３−１乃至情報処理装置２０３−ｎのネットワークアドレス、情報処理装置２０３−１乃至情報処理装置２０３−ｎの情報処理コントローラの装置ＩＤ、および情報処理装置２０３−１乃至情報処理装置２０３−ｎの情報処理コントローラが備えるメインプロセッサおよびサブプロセッサの識別子が含まれる。
【０１９７】
また、応答先ＩＤには、ソフトウェアセルの実行結果の応答先である録画再生装置２０１のネットワークアドレス、録画再生装置２０１の情報処理コントローラ２１１の装置ＩＤ、および情報処理コントローラ２１１が備えるメインプロセッサ２４２およびサブプロセッサ２４３の識別子が含まれる。
【０１９８】
セルインターフェースは、ソフトウェアセルの利用に必要な情報であり、グローバルＩＤ、必要なサブプロセッサの情報、サンドボックスサイズ、および前回のソフトウェアセルＩＤから構成される。
【０１９９】
グローバルＩＤは、ホームネットワーク２０２全体を通してソフトウェアセルを一意的に識別できるものであり、送信元ＩＤ、およびソフトウェアセルの生成または送信の日時（日付および時刻）を基に、生成される。
【０２００】
必要なサブプロセッサの情報は、ソフトウェアセルの実行に必要なサブプロセッサの数が設定される。サンドボックスサイズは、ソフトウェアセルの実行に必要なメインメモリおよびサブプロセッサのローカルストレージのメモリ量が設定される。
【０２０１】
前回のソフトウェアセルＩＤは、ストリーミングデータなどのシーケンシャルな実行を要求する１つのグループを構成するソフトウェアセル内の、前回のソフトウェアセルの識別子である。
【０２０２】
ソフトウェアセルの実行セクションは、DMAコマンド、プログラムおよびデータから構成される。DMAコマンドには、プログラムの起動に必要な一連のDMAコマンドが含まれ、プログラムには、サブプロセッサによって実行されるサブプロセッサプログラムが含まれる。ここでのデータは、このサブプロセッサプログラムを含むプログラムによって処理されるデータである。
【０２０３】
更に、DMAコマンドには、ロードコマンド、キックコマンド、機能プログラム実行コマンド、ステータス要求コマンド、およびステータス返信コマンドが含まれる。
【０２０４】
ロードコマンドは、メインメモリが記憶している情報をサブプロセッサのローカルストレージにロードさせるコマンドであり、ロードコマンドのほかに、メインメモリアドレス、サブプロセッサＩＤおよびＬＳアドレスを含む。メインメモリアドレスは、情報のロード元であるメインメモリの所定の領域のアドレスを示す。サブプロセッサＩＤおよびＬＳアドレスは、情報のロード先であるサブプロセッサの識別子およびローカルストレージのアドレスを示す。
【０２０５】
キックコマンドは、プログラムの実行を開始するコマンドであり、キックコマンドのほかに、サブプロセッサＩＤおよびプログラムカウンタを含む。サブプロセッサＩＤは、キック対象のサブプロセッサを識別し、プログラムカウンタは、プログラム実行用プログラムカウンタのためのアドレスを与える。
【０２０６】
機能プログラム実行コマンドは、ある装置（例えば、録画再生装置２０１）が他の装置（例えば、情報処理装置２０３−１乃至情報処理装置２０３−ｎ）に対して、例えば、所定の機能を利用してユーザに要約の作成が終了したことを通知するためなどに実行される機能プログラムの実行を要求するコマンドである。機能プログラム実行コマンドを受信した装置（例えば、情報処理装置２０３−１乃至情報処理装置２０３−ｎ）のＣＰＵや情報処理コントローラは、機能プログラムＩＤによって、起動すべき機能プログラムを識別する。
【０２０７】
ステータス要求コマンドは、送信先ＩＤで示される情報処理装置２０３−１乃至情報処理装置２０３−ｎの現在の動作状態（状況）に関する装置情報を、応答先ＩＤで示される録画再生装置２０１あてに送信要求するコマンドである。
【０２０８】
ステータス返信コマンドは、ステータス要求コマンドを受信した情報処理装置２０３−１乃至情報処理装置２０３−ｎが、装置情報をステータス要求コマンドに含まれる応答先ＩＤで示される録画再生装置２０１に応答するコマンドである。ステータス返信コマンドは、実行セクションのデータ領域に装置情報を格納する。
【０２０９】
図２３は、図１８の録画再生装置２０１が実現可能な機能を説明するための機能ブロック図である。
【０２１０】
なお、図１６における場合と対応する部分には同一の符号を付してあり、その説明は適宜省略する。
【０２１１】
すなわち、図２３の録画再生装置２０１は、全体制御部１７１に代わって、全体制御部２８１が、通知処理制御部１７２に代わって、通知処理制御部２８２が設けられ、電子メール生成部１７３および送信制御部１７４が省略されて、新たに、ソフトウェアセル生成部２８３、送受信制御部２８４、および、ソフトウェアセル認識部２８５が設けられている以外は、基本的に、図１６を用いて説明した録画再生装置１５１と同様の機能を実現することができるものである。
【０２１２】
全体制御部２８１は、録画再生装置２０１の機能全体を制御するものであり、例えば、操作入力部１１により入力されたユーザの操作入力に基づいて、録画予約管理部５２を制御して、録画予約を実行させたり、録画データ処理部５４を制御して、録画される放送番組データ、または、再生される録画データを処理させるとともに、録画データおよび予約リスト保存部５５から、予約リストを読み出し、図示しないテレビジョン受像機に供給して表示させたり、要約生成部５６を制御して、要約を作成させるなどの処理を実行したり、要約生成部５６の処理により要約が生成された場合、通知処理制御部２８２を制御して、ソフトウェアセル生成部２８３により、情報処理装置２０３−１乃至情報処理装置２０３−ｎにユーザに要約が生成されたことを通知する処理を実行させるためのソフトウェアセルを生成させ、送受信制御部２８４により、ソフトウェアセルの情報処理装置２０３−１乃至情報処理装置２０３−ｎへの送信を制御させ、更に、送受信制御部２８４が受信し、ソフトウェアセル認識部２８５により認識されたソフトウェアセルにより通知処理制御部２８２から通知処理の解除の通知を受けたことを示す信号の供給を受ける。
【０２１３】
通知処理制御部２８２は、全体制御部２８１の制御に基づいて、情報処理装置２０３−１乃至情報処理装置２０３−ｎに、ユーザに要約が生成されたことを通知する処理を実行させるために、ソフトウェアセル生成部２８３を制御するとともに、ソフトウェアセル認識部２８５により認識されたソフトウェアセルにより通知処理の解除の通知を受けたことを示す信号を全体制御部２８１に供給する。ソフトウェアセル生成部２８３は、通知処理制御部２８２の制御に基づいて、情報処理装置２０３−１乃至情報処理装置２０３−ｎにユーザに要約が生成されたことを通知する処理を実行させるために、ソフトウェアセル（図２４を用いて後述する）を生成し、送受信制御部２８４に供給する。送受信制御部２８４は、供給されたソフトウェアセルの情報処理装置２０３−１乃至情報処理装置２０３−ｎへの送信を制御する。
【０２１４】
また、受信制御部２８４は、情報処理装置２０３−１乃至情報処理装置２０３−ｎのいずれかから、要約生成完了状態の解除を示すメッセージを含むソフトウェアセル（図２５を用いて後述する）を受信して、ソフトウェアセル認識部２８５に供給する。ソフトウェアセル認識部２８５は、供給されたソフトウェアセルの内容を認識し、通知処理制御部２８２にソフトウェアセルにより通知処理の解除の通知を受けたことを通知するようになされている。
【０２１５】
すなわち、録画再生装置２０１のメインプロセッサ２４２（ソフトウェアセル生成部２８４）は、図２４に示されるソフトウェアセルを生成し、ホームネットワーク２０２を介して情報処理装置２０３−１乃至情報処理装置２０３−ｎに送信することにより、情報処理装置２０３−１乃至情報処理装置２０３−ｎのそれぞれに、所定の機能を利用してユーザに要約の作成が終了したことを通知する処理を実行させる。
【０２１６】
図２４に示されるソフトウェアセルにおいて、送信元ＩＤは、要約作成を実行した機器、すなわち、録画再生装置２０１を示すＩＤである。また、メッセージ内容は、要約作成完了を示すものであり、このメッセージを含むソフトウェアセルを受信した装置（ここでは、情報処理装置２０３−１乃至情報処理装置２０３−ｎ）は、メッセージデータに含まれる要約コンテンツＩＤおよび要約コンテンツ属性に基づいて、所定の機能を利用してユーザに要約の作成が終了したことを通知する処理を実行する。具体的には、情報処理装置２０３−１乃至情報処理装置２０３−ｎのうち、ＬＥＤ，ＬＣＤもしくはＣＲＴなどのディスプレイ、または、スピーカなどを有するものは、図５を用いて説明した要約通知処理１と基本的に同様の処理を、ディスプレイを有する装置に対して表示画像データを生成して出力し、表示させることが可能で、かつ、スリープモードの機能を保有するものは、図１０を用いて説明した要約通知処理２と基本的に同様の処理を、ディスプレイを有し、表示画像データを生成してディスプレイに表示させることが可能で、かつ、スリープモードの機能を保有するものは、図１４を用いて説明した要約通知処理３と基本的に同様の処理を、電子メールの送信機能を有するものは、図１７を用いて説明した要約通知処理４と基本的に同様の処理を実行することにより、要約作成終了をユーザに通知する処理を実行することが可能である。
【０２１７】
すなわち、情報処理装置２０３−１乃至情報処理装置２０３−ｎは、例えば、要約コンテンツＩＤに示される放送番組の要約の作成が完了したことを示す情報を、要約コンテンツ属性に示される、例えば、要約完了時刻、要約の題名、要約コンテンツの時間や要約内容のカテゴリなどの情報とともに、テキスト、または、画像として表示したり、音声メッセージとして出力したり、電子メールを生成してユーザに対して送信することが可能である。また、情報処理装置２０３−１乃至情報処理装置２０３−ｎのうち、スリープモードの機能を有するものは、ユーザの操作入力により、スリープモードが解除された場合に、ユーザに対する通知処理を実行することが可能である。
【０２１８】
そして、要約作成完了通知状態の解除は、ユーザにより通知を確認したことを示す操作入力が、録画再生装置２０１、または、情報処理装置２０３−１乃至情報処理装置２０３−ｎのうちのいずれかになされた場合に実行される。ユーザによる通知を確認したことを示す操作入力には、例えば、通知メッセージに対するテキストまたは画像の表示の消去命令、音声メッセージの終了命令、専用の要約通知解除ボタンの押下、または、録画再生装置２０１に対する要約の再生指令等などがある。ユーザにより、通知を確認したことを示す操作入力を受けた録画再生装置２０１、または、情報処理装置２０３−１乃至情報処理装置２０３−ｎのうちのいずれかは、ホームネットワーク２０２を介して、図２５に示されるソフトウェアセルを自分自身以外の装置に送信する。要約作成完了通知の解除を受け取った録画再生装置２０１、または、情報処理装置２０３−１乃至情報処理装置２０３−ｎは、解除された要約作成完了通知以外の他の要約コンテンツＩＤで示される要約作成完了メッセージを受信していない状態であれば、要約の作成が終了したことを通知する処理を終了する。
【０２１９】
図１８乃至図２５を用いて説明した録画再生装置２０１は、基本的に、図４を用いて説明した要約作成および通知処理を実行して、ユーザの設定に基づいて、放送番組の録画処理の予約を受け、録画予約された、または、録画された放送番組のうち、要約を作成するものの選択を受け、要約の作成方法などの指令を受け、録画データを基に、要約を作成するようになされているが、ステップＳ７において、図５を用いて説明した要約通知処理１に代わって、図２６の要約通知処理５を実行することにより、要約の作成終了を、ユーザに通知するようになされている。
【０２２０】
図２６のフローチャートを参照して、録画再生装置２０１が図４のステップＳ７において実行する、要約通知処理５について説明する。
【０２２１】
ステップＳ１０１において、通知処理制御部２８２は、全体制御部２８１より、要約の生成が終了したことの通知を受け、要約の生成が終了したことをユーザに通知するために、ホームネットワーク２０２に接続された、メッセージ通知機能を有する機器（情報処理装置２０３）へ送信する情報であるソフトウェアセルを生成させるために、ソフトウェアセル生成部２８３を制御する。ソフトウェアセル生成部２８３は、通知処理制御部２８２の制御に基づいて、図２４を用いて説明したような、要約作成完了メッセージを含むソフトウェアセルを生成して、送受信制御部２８４に供給する。
【０２２２】
ステップＳ１０２において、送受信制御部２８４は、ステップＳ１０１において生成された情報、すなわち、図２４を用いて説明したような、要約作成完了メッセージを含むソフトウェアセルを、ホームネットワーク２０２を介して、情報処理装置２０３へ出力する。
【０２２３】
ステップＳ１０３において、ソフトウェアセル認識部２８５は、送受信制御部２８４から供給されたデータを認識し、ホームネットワーク２０２を介して、情報処理装置２０３のうちのいずれかから、通知解除を示すメッセージ、すなわち、図２５を用いて説明したソフトウェアセルを受信したか否かを判断する。ここで、ソフトウェアセル認識部２８５は、ホームネットワーク２０２を介して、情報処理装置２０３のうちのいずれかからソフトウェアセルを受信する代わりに、全体制御部２８１から、通知解除を示す制御信号を受信するようにしてもよい。ステップＳ１０３において、通知解除を示すメッセージを受信していないと判断された場合、通知解除を示すメッセージを受信したと判断されるまで、ステップＳ１０３の処理が実行される。
【０２２４】
ステップＳ１０３において、通知解除を示すメッセージを受信したと判断された場合、ソフトウェアセル認識部２８５は、通知処理制御部２８２に通知解除を示すメッセージを受信したことを通知するので、ステップＳ１０４において、通知処理制御部２８２は、他に要約作成の終了の通知が必要であるか否かを判断する。
【０２２５】
ステップＳ１０４において、他に要約作成の終了の通知が必要であると判断された場合、処理は、ステップＳ１０１に戻り、それ以降の処理が繰り返される。ステップＳ１０４において、他に要約作成の終了の通知が必要でないと判断された場合、処理は、図４のステップＳ７に戻り、処理が終了される。
【０２２６】
このような処理により、録画再生装置２０１は、要約が作成された場合、ホームネットワーク２０２を介して接続されている情報処理装置２０３のうちのいずれかを用いて、ユーザに対して、要約の作成が終了したことを通知することができるので、ユーザの、作成された要約の視聴し忘れを減少させることができる。
【０２２７】
以上説明したように、本発明を適用することにより、ユーザに対して、積極的に要約の作成が終了したことを通知することができる。
【０２２８】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２２９】
この記録媒体は、図１８に示すように、コンピュータとは別に、ユーザにプログラムを提供するために配布される、プログラムが記録されている磁気ディスク２６１（フレキシブルディスクを含む）、光ディスク２６２（CD-ROM（Compact Disk-Read Only Memory），DVD（Digital Versatile Disk）を含む）、光磁気ディスク２６３（ＭＤ(Mini-Disk)（商標）を含む）、もしくは半導体メモリ２６４などよりなるパッケージメディアなどにより構成される。
【０２３０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３１】
なお、本明細書において、システムとは、複数の装置により構成される装置全体を表すものである。
【図面の簡単な説明】
【０２３２】
【図１】本発明を適用した録画再生装置の外観構成図である。
【図２】本発明を適用した録画再生装置のハードウェアブロック図である。
【図３】本発明を適用した録画再生装置の機能ブロック図である。
【図４】要約作成および通知処理について説明するためのフローチャートである。
【図５】要約通知処理１について説明するためのフローチャートである。
【図６】メッセージの通知例について説明するための図である。
【図７】本発明を適用した録画再生装置およびテレビジョン受像機の外観構成図である。
【図８】本発明を適用した録画再生装置のハードウェアブロック図である。
【図９】本発明を適用した録画再生装置の機能ブロック図である。
【図１０】要約通知処理２について説明するためのフローチャートである。
【図１１】メッセージの通知例について説明するための図である。
【図１２】本発明を適用したテレビジョン受像機のハードウェアブロック図である。
【図１３】本発明を適用したテレビジョン受像機の機能ブロック図である。
【図１４】要約通知処理３について説明するためのフローチャートである。
【図１５】本発明を適用した録画再生装置のハードウェアブロック図である。
【図１６】本発明を適用した録画再生装置の機能ブロック図である。
【図１７】要約通知処理４について説明するためのフローチャートである。
【図１８】本発明を適用した録画再生装置のハードウェアブロック図である。
【図１９】図１８のサブプロセッサがメインメモリにアクセスする場合について説明するための図である。
【図２０】図１８のサブプロセッサがメインメモリにアクセスする場合について説明するための図である。
【図２１】図１８のサブプロセッサがメインメモリにアクセスする場合について説明するための図である。
【図２２】ソフトウェアセルの構成について説明するための図である。
【図２３】本発明を適用した録画再生装置の機能ブロック図である。
【図２４】ソフトウェアセルの構成について説明するための図である。
【図２５】ソフトウェアセルの構成について説明するための図である。
【図２６】要約通知処理５について説明するためのフローチャートである。
【符号の説明】
【０２３３】
１  録画再生装置，  １１  操作入力部，  １２  ＬＣＤ，  １３  ＬＥＤ，  １４  スピーカ，  ３１  ＣＰＵ，  ５１  全体制御部，  ５５  録画データおよび予約リスト保存部，  ５６  要約生成部，  ５９  通知処理制御部，  ６０  ＬＥＤ制御部，  ６１  ＬＣＤ制御部，  ６２  スピーカ制御部，  ８１  録画再生装置，  ８２  テレビジョン受像機，  ９１  ＣＰＵ，  １０１  全体制御部，  １０２  通知処理制御部，  １０３  画像データ生成部，  １２１  テレビジョン受像機，  １３１  ＣＰＵ，  １４１  視聴制御部，  １４２  全体制御部，  １５１  録画再生装置，  １６１  ＣＰＵ，  １７１  全体制御部，  １７２    通知処理制御部，  １７３  電子メール生成部，  １３４  送信制御部，  ２０１  録画再生装置，  ２０２  ホームネットワーク，  ２０３  情報処理装置，  ２１１  情報処理コントローラ，  ２８１  全体制御部，  ２８２  通知処理制御部，  ２８３  ソフトウェアセル生成部，  ２８４  送受信制御部，  ２８５  ソフトウェアセル認識部
【図１】
2005328416.tif 000003
【図２】
2005328416.tif 000004
【図３】
2005328416.tif 000005
【図４】
2005328416.tif 000006
【図５】
2005328416.tif 000007
【図６】
2005328416.tif 000008
【図７】
2005328416.tif 000009
【図８】
2005328416.tif 000010
【図９】
2005328416.tif 000011
【図１０】
2005328416.tif 000012
【図１１】
2005328416.tif 000013
【図１２】
2005328416.tif 000014
【図１３】
2005328416.tif 000015
【図１４】
2005328416.tif 000016
【図１５】
2005328416.tif 000017
【図１６】
2005328416.tif 000018
【図１７】
2005328416.tif 000019
【図１８】
2005328416.tif 000020
【図１９】
2005328416.tif 000021
【図２０】
2005328416.tif 000022
【図２１】
2005328416.tif 000023
【図２２】
2005328416.tif 000024
【図２３】
2005328416.tif 000025
【図２４】
2005328416.tif 000026
【図２５】
2005328416.tif 000027
【図２６】
2005328416.tif 000028